(57)【要約】【課題】側方に向かう空気の吹き出しを調整することができる空気調和機の提供。【解決手段】空気調和機１は、吹出口１５が底面から側面に形成されている室内機ケーシング１２を有する室内機本体１１と、吹出口１５のうち室内機ケーシング１２の底面に位置する第１部分１６を覆うことが可能な上下風向調整羽根３０と、吹出口１５のうち室内機ケーシング１２の側面に位置する第２部分１７ａ及び第３部分１７ｂを覆うことが可能な側方遮蔽部材２０，９０と、上下風向調整羽根３０を移動させることが可能な第１移動機構５０と、側方遮蔽部材２０，９０を移動させることが可能な第２移動機構２９，９９と、を備えている。第２移動機構２９，９９は、側方遮蔽部材２０，９０を回転軸を中心に回転させて移動させる【選択図】図３Ｂ
2011021878.tif 000002
【特許請求の範囲】
【請求項１】
吹出口（１５，１１５，１１６，１１７）が底面から側面に形成されているケーシング（１２，１１２）を有する本体（１１）と、
前記吹出口のうち前記ケーシングの底面に位置する第１部分（１６，１１６）を覆うことが可能な上下風向調整羽根（３０，１３０）と、
前記上下風向調整羽根とは別部材であって、前記吹出口のうち前記ケーシングの側面に位置する第２部分（１７ａ，１７ｂ，１１７，１１７ａ）を覆うことが可能な側方遮蔽部材（２０，９０，１９０，２９０，３９０）と、
前記第１部分が覆われている状態から前記第１部分が開放されている状態となるように、前記上下風向調整羽根を移動させることが可能な第１移動機構（５０）と、
前記第２部分が覆われている状態から前記第２部分が開放されている状態となるように、前記側方遮蔽部材を移動させることが可能な第２移動機構（２９，９９）と、
を備え、
前記第２移動機構は、前記側方遮蔽部材を、前記側方遮蔽部材の回転軸（２９４ａ）を中心に回転させて移動させる、
空気調和機（１）。
【請求項２】
前記第１移動機構および前記第２移動機構の駆動を制御する制御部（８５）を更に備え、
前記側方遮蔽部材と前記上下風向調整羽根とは近接して配置されており、
前記制御部は、前記第２部分が覆われている状態から前記第２部分が開放されている状態となるように前記側方遮蔽部材が移動される場合には、前記第１部分が開放されている状態となるように前記上下風向調整羽根が移動された後に前記側方遮蔽部材の前記移動が開始されるように、前記第１移動機構および前記第２移動機構の駆動を制御する、
請求項１に記載の空気調和機。
【請求項３】
前記側方遮蔽部材と前記上下風向調整羽根とは、前記側方遮蔽部材によって前記第２部分が覆われており前記上下風向調整羽根によって前記第１部分が覆われている場合には、前記側方遮蔽部材の少なくとも一部の外面と前記上下風向調整羽根の外面とが略一面状になるように配置される、
請求項１又は２記載の空気調和機。
【請求項４】
前記ケーシングは、前記側方遮蔽部材によって前記第２部分が覆われている状態であるときに前記側方遮蔽部材を収容可能な凹部（１５ａ）を含み、
前記凹部は、前記側方遮蔽部材によって前記第２部分が覆われている場合に、前記側方遮蔽部材の外面と前記ケーシングの外面とが略一面状になるように構成されている、
請求項１から３のいずれかに記載の空気調和機。
【請求項５】
前記第２移動機構は、前記側方遮蔽部材を前記第２部分が開放されている状態となるように移動させたときに、前記側方遮蔽部材を収納可能な収納部（２５，９５，２９５）を有する、
請求項１から４のいずれかに記載の空気調和機。
【発明の詳細な説明】
【技術分野】
【０００１】
本発明は、空気調和機に関する。
【背景技術】
【０００２】
従来より、空気調和機において、吹出口から吹き出される空気の風向を変更可能な上下風向調整羽根を備える室内機がある。
【０００３】
例えば、特許文献１（特開平８−１７８４０７号公報）に開示されている空気調和機（室内機に相当）は、吹出口が形成されている室内ユニット本体と、吹出口から吹き出される空気の上下方向の風向を変更する上下風向変更羽根（上下風向調整羽根に相当）と、吹出口から吹き出される空気の左右方向の風向を変更する左右風向変更羽根とを備えている。また、吹出口は室内ユニット本体の前面側から側面側に向かって延びるように形成されている。このため、この空気調和機では、上下風向変更羽根および左右風向変更羽根によって規制を受けることで、室内機から側方に向かって空気を吹き出すことができる。
【発明の概要】
【発明が解決しようとする課題】
【０００４】
ところで、特許文献１に開示されている空気調和機では、吹出口のうち、室内ユニット本体の前面側に位置する部分は上下風向変更羽根によって覆われているが、室内ユニット本体の側面側に位置する部分は上下風向変更羽根によって覆われていない構造になっている。言い換えると、この空気調和機では、室内ユニット本体の内部空間と室内ユニット本体の外部空間とが、吹出口のうちの室内ユニット本体の側面側に位置する部分を介して常に連通している。このため、この空気調和機において空気流が生成される場合には、吹出口のうちの室内ユニット本体の側面側に位置する部分から空気が吹き出される可能性がある。したがって、空気の吹き出し方向を室内機の前方のみに設定したい場合であっても、室内機の側方にも空気が吹き出される。
【０００５】
そこで、本発明の課題は、側方に向かう空気の吹き出しを調整することができる空気調和機を提供することにある。
【課題を解決するための手段】
【０００６】
第１発明に係る空気調和機は、本体と、上下風向調整羽根と、側方遮蔽部材と、第１移動機構と、第２移動機構とを備えている。本体は、吹出口が底面から側面に形成されているケーシングを有する。上下風向調整羽根は、吹出口のうちケーシングの底面に位置する第１部分を覆うことが可能である。側方遮蔽部材は、上下風向調整羽根とは別の部材である。また、側方遮蔽部材は、吹出口のうちケーシングの側面に位置する第２部分を覆うことが可能である。第１移動機構は、第１部分が覆われている状態から第１部分が開放されている状態となるように、上下風向調整羽根を移動させることが可能である。第２移動機構は、第２部分が覆われている状態から第２部分が開放されている状態となるように、側方遮蔽部材を移動させることが可能である。また、第２移動機構は、側方遮蔽部材を、側方遮蔽部材の回転軸を中心に回転させて移動させる。
【０００７】
第１発明に係る空気調和機では、第２移動機構によって、第２部分が覆われている状態から第２部分が開放されている状態となるように、側方遮蔽部材が回転軸を中心に回転されて移動される。このため、吹出口の第２部分を遮蔽したり開放したりすることができる。
【０００８】
これによって、側方に向かう空気の吹き出しを調整することができる。
【０００９】
第２発明に係る空気調和機は、第１発明の空気調和機であって、第１移動機構および第２移動機構の駆動を制御する制御部を更に備える。また、側方遮蔽部材と上下風向調整羽根とは近接して配置されている。さらに、制御部は、第２部分が覆われている状態から第２部分が開放されている状態となるように側方遮蔽部材が移動される場合には、第１部分が開放されている状態となるように上下風向調整羽根が移動された後に側方遮蔽部材の前記移動が開始されるように、第１移動機構および第２移動機構の駆動を制御する。このため、第２部分が覆われている状態から第２部分が開放されている状態となるように側方遮蔽部材が移動される場合に、側方遮蔽部材と上下風向調整羽根とが干渉するおそれを減らすことができる。
【００１０】
第３発明に係る空気調和機は、第１発明又は第２発明の空気調和機であって、側方遮蔽部材と上下風向調整羽根とは、側方遮蔽部材によって第２部分が覆われており上下風向調整羽根によって第１部分が覆われている場合には、側方遮蔽部材の少なくとも一部の外面と上下風向調整羽根の外面とが略一面状になるように配置される。このため、側方遮蔽部材によって第２部分が覆われており上下風向調整羽根によって第１部分が覆われている場合に、外観が損なわれるおそれを減らすことができる。
【００１１】
第４発明に係る空気調和機は、第１発明から第３発明のいずれかの空気調和機であって、ケーシングは、凹部を含む。凹部は、側方遮蔽部材によって第２部分が覆われている状態であるときに、側方遮蔽部材を収容可能である。また、凹部は、側方遮蔽部材によって第２部分が覆われている場合には、側方遮蔽部材の外面とケーシングの外面とが略一面状となるように構成されている。このため、側方遮蔽部材によって第２部分が覆われている場合に、外観が損なわれるおそれを減らすことができる。
【００１２】
第５発明に係る空気調和機は、第１発明から４発明のいずれかの空気調和機であって、第２移動機構は、側方遮蔽部材を第２部分が開放されている状態となるように移動させた時に、側方遮蔽部材を収納可能な収納部を有する。このため、この空気調和機では、移動された側方遮蔽部材を収納することができる。
【発明の効果】
【００１３】
第１発明に係る空気調和機では、側方に向かう空気の吹き出しを調整することができる。
【００１４】
第２発明に係る空気調和機では、側方遮蔽部材と上下風向調整羽根とが干渉するおそれを減らすことができる。
【００１５】
第３発明に係る空気調和機では、外観が損なわれるおそれを減らすことができる。
【００１６】
第４発明に係る空気調和機では、外観が損なわれるおそれを減らすことができる。
【００１７】
第５発明に係る空気調和機では、移動された側方遮蔽部材を収納することができる。
【図面の簡単な説明】
【００１８】
【図１】本発明の第１実施形態に係る空気調和機の概略冷媒回路図。
【図２】第１冷房状態である場合の室内機の斜視図。
【図３Ａ】（ａ）室内機本体の正面図、（ｂ）室内機本体の側面図、（ｃ）室内機本体を吹出口近傍の空間の正面側から視た室内機本体の底面図。
【図３Ｂ】室内機の概略断面図。
【図４】上下風向調整羽根の外観斜視図。
【図５】上下風向調整羽根の状態が第１開状態である場合の上下風向調整羽根および第１移動機構の平面図であって、上下風向調整羽根と第１移動機構との位置関係を示す概念図。
【図６】上下風向調整羽根が閉状態である場合の吹出口近傍の概略斜視図（側方遮蔽部材は省略）。
【図７】上下風向調整羽根が第１開状態である場合の吹出口近傍の概略斜視図（側方遮蔽部材は省略）。
【図８】上下風向調整羽根が第２開状態である場合の吹出口近傍の概略斜視図（側方遮蔽部材は省略）。
【図９】上下風向調整羽根が第３開状態である場合の吹出口近傍の概略斜視図（側方遮蔽部材は省略）。
【図１０】（ａ）上下風向調整羽根および側方遮蔽部材が閉状態である室内機の正面図であって、左側方遮蔽部材近傍の部分拡大図、（ｂ）上下風向調整羽根および側方遮蔽部材が閉状態である室内機の斜視図であって、左側方遮蔽部材近傍の部分拡大図。
【図１１】（ａ）上下風向調整羽根が第２開状態であって側方遮蔽部材が閉状態である室内機の正面図であって、左側方遮蔽部材近傍の部分拡大図である、（ｂ）上下風向調整羽根が第２開状態であって側方遮蔽部材が閉状態である室内機の斜視図であって、左側方遮蔽部材近傍の部分拡大図。
【図１２】（ａ）上下風向調整羽根が第２開状態であって側方遮蔽部材が開状態である室内機の正面図であって、左側方遮蔽部材近傍の部分拡大図、（ｂ）上下風向調整羽根が第２開状態であって側方遮蔽部材が開状態である室内機の斜視図であって、左側方遮蔽部材近傍の部分拡大図。
【図１３】（ａ）上下風向調整羽根が第２開状態であって側方遮蔽部材が閉状態である室内機の断面図であって、左側方遮蔽部材近傍の概略部分拡大図、（ｂ）上下風向調整羽根が第２開状態であって側方遮蔽部材が開状態である室内機の断面図であって、左側方遮蔽部材近傍の概略部分拡大図。
【図１４】空気調和機の備える制御部の制御ブロック図。
【図１５】変形例（Ａ）に係る空気調和機の室内機の正面図であって、（ａ）上下風向調整羽根および側方遮蔽部材が閉状態である場合の左側方遮蔽部材近傍の概略図、（ｂ）上下風向調整羽根が開状態であり、側方遮蔽部材が閉状態である場合の左側方遮蔽部材近傍の概略図、（ｃ）上下風向調整羽根および側方遮蔽部材が開状態である場合の左側方遮蔽部材近傍の概略図。
【図１６】変形例（Ａ）に係る空気調和機の室内機であって、（ａ）上下風向調整羽根および側方遮蔽部材が開状態である場合の左側方遮蔽部材近傍の斜視図、（ｂ）上下風向調整羽根および側方遮蔽部材が開状態である場合の左側方遮蔽部材近傍の正面図。
【図１７】変形例（Ａ）に係る空気調和機の室内機であって、（ａ）上下風向調整羽根および側方遮蔽部材が開状態である場合の左側方遮蔽部材近傍の斜視図、（ｂ）上下風向調整羽根および側方遮蔽部材が開状態である場合の左側方遮蔽部材近傍の正面図。
【図１８】変形例（Ａ）に係る空気調和機の室内機の正面図であって、（ａ）上下風向調整羽根および側方遮蔽部材が閉状態である場合の左側方遮蔽部材近傍の概略図、（ｂ）上下風向調整羽根が開状態であり、側方遮蔽部材が閉状態である場合の左側方遮蔽部材近傍の概略図、（ｃ）上下風向調整羽根および側方遮蔽部材が開状態である場合の左側方遮蔽部材近傍の概略図。
【図１９】変形例（Ｂ）に係る空気調和機の室内機であって、（ａ）上下風向調整羽根が開状態であって側方遮蔽部材が閉状態である場合の左側方遮蔽部材近傍を室内機内部から視た図、（ｂ）上下風向調整羽根および側方遮蔽部材が開状態である場合の左側方遮蔽部材近傍を室内機内部から視た図。
【図２０】変形例（Ｂ）に係る空気調和機の室内機の正面図であって、（ａ）上下風向調整羽根および側方遮蔽部材が閉状態である場合の左側方遮蔽部材近傍の概略図、（ｂ）上下風向調整羽根が開状態であり、側方遮蔽部材が閉状態である場合の左側方遮蔽部材近傍の概略図、（ｃ）上下風向調整羽根および側方遮蔽部材が開状態である場合の左側方遮蔽部材近傍の概略図。
【図２１】変形例（Ｂ）に係る空気調和機の室内機の正面図であって、（ａ）上下風向調整羽根および側方遮蔽部材が閉状態である場合の左側方遮蔽部材近傍の概略図、（ｂ）上下風向調整羽根が開状態であり、側方遮蔽部材が閉状態である場合の左側方遮蔽部材近傍の概略図、（ｃ）上下風向調整羽根および側方遮蔽部材が開状態である場合の左側方遮蔽部材近傍の概略図。
【図２２】本発明の参考例に係る空気調和機の備える室内機の外観斜視図。
【図２３】室内機の外観斜視図であって、（ａ）室内機の風向状態が第１暖房状態である場合を示す図、（ｂ）室内機の風向状態が第２暖房状態である場合を示す図。
【図２４】室内機の外観斜視図であって、（ａ）室内機の風向状態が第２冷房状態である場合を示す図、（ｂ）室内機の風向状態が三方風向状態である場合を示す図。
【図２５】本発明の参考例に係る空気調和機の備える制御部の制御ブロック図。
【図２６】本発明の参考例の変形例に係る空気調和機室内機であって、上下風向調整羽根および側方遮蔽部材が閉状態である場合を示す室内機の斜視図。
【図２７】本発明の参考例の変形例に係る空気調和機であって、上下風向調整羽根が開状態であり、側方遮蔽部材が閉状態である場合を示す室内機の斜視図。
【図２８】本発明の参考例の変形例に係る空気調和機の備える室内機であって、上下風向調整羽根および側方遮蔽部材が開状態である場合を示す室内機の斜視図。
【図２９】本発明の参考例に係る空気調和機の備える室内機の外観斜視図。
【図３０】室内機の風向状態が第１冷房状態である場合を示す室内機の外観斜視図。
【図３１】室内機の風向状態が第２冷房状態である場合を示す室内機の外観斜視図。
【図３２】室内機の概略底面図。
【図３３】本発明の参考例の変形例に係る空気調和機の室内機の外観斜視図。
【図３４】本発明の参考例の変形例に係る空気調和機の室内機の外観斜視図。
【発明を実施するための形態】
【００１９】
以下、図面を参照しながら本発明の実施形態に係る室内機を備える空気調和機について説明する。なお、以下の実施形態は、本発明の具体例であって、本発明の技術的範囲を限定するものではない。
【００２０】
−第１実施形態−
＜空気調和機の構成概略＞
図１は、空気調和機１の概略冷媒回路図である。図２は、空気調和機１の冷房運転時であって、第１冷房状態である場合の室内機１０の斜視図である。
【００２１】
空気調和機１は、室内の壁面に取り付けられる室内機１０と、室外に設置される室外機２とを備えており、冷房運転および暖房運転等の各種運転を実行することができる。
【００２２】
室外機２は、圧縮機３と、圧縮機３の吐出側に接続されている四路切換弁４と、圧縮機３の吸入側に接続されるアキュムレータ５と、四路切換弁４に接続されている室外熱交換器６と、室外熱交換器６に接続された室外膨張弁７とを有している。室外膨張弁７は、冷媒配管８を介して後述する室内熱交換器１３の一端と接続される。また、四路切換弁４は、冷媒配管８を介して室内熱交換器１３の他端と接続されている。また、室外機２内には、室外ファン９が設けられている。室外ファン９は、室外の空気を取り込み、室外熱交換器６での熱交換後の空気を室外機２外部に排出するプロペラファンである。
【００２３】
室内機１０は、図２に示すように、室内の壁面Ｗ等に取り付けられる壁掛け型の室内機１０である。また、室内機１０は、主として、室内機本体１１と、上下風向調整羽根３０と、側方遮蔽部材２０，９０と、第１移動機構５０と、第２移動機構２９，９９（図１４参照）と、を備えている。以下に、室内機本体１１、上下風向調整羽根３０、側方遮蔽部材２０，９０、第１移動機構５０、第２移動機構２９，９９の順に説明する。
【００２４】
＜室内機本体の構成＞
図３Ａ（ａ）は、室内機本体１１の正面図である。図３Ａ（ｂ）は、室内機本体１１の側面図である。図３Ａ（ｃ）は、吹出口１５近傍の空間Ｓ１の正面側Ｆから視た室内機本体１１の底面図である。図３Ｂは、室内機１０の概略断面図である。なお、図３Ａ（ａ）および図３Ａ（ｂ）中の矢印Ｆは、吹出口１５近傍の空間Ｓ１の正面側を示している。このため、ここでいう「室内機１０の正面側」と、「吹出口１５近傍の空間Ｓ１の正面側Ｆ」とは、別の方向を意味している。
【００２５】
室内機本体１１は、主に、室内機ケーシング１２と、室内熱交換器１３と、室内ファン１４と、垂直羽根１９とを備えている。
【００２６】
室内機ケーシング１２は、水平方向に長い略直方形状の部材である。また、室内機ケーシング１２には、室内熱交換器１３、室内ファン１４、および、垂直羽根１９等が収納されている。さらに、室内機ケーシング１２には、取込口１８と、吹出口１５とが形成されている。取込口１８は、室内の空気を室内機ケーシング１２の内側に取り込むための開口であって、室内機ケーシング１２の上部に形成されている。
【００２７】
また、吹出口１５は、室内機本体１１内で調和された空気を吹き出すための開口であって、室内機１０の下部近傍に形成されている。具体的には、吹出口１５は、図３Ａに示すように、室内機ケーシング１２の底面から両側面にかけて連続して形成されている。このため、吹出口１５は、室内機１０の側面視において、その一部を視認可能である。
【００２８】
また、室内機ケーシング１２は、吹出口１５近傍に凹部１５ａ（図１３（ｂ）参照）を有している。凹部１５ａは、後述する閉状態の側方遮蔽部材２０，９０を収容可能である。また、凹部１５ａは、側方遮蔽部材２０，９０が閉状態である場合に、側方遮蔽部材２０，９０と室内機ケーシング１２とが概ね連続して配置されるように構成されている。このため、側方遮蔽部材２０，９０が閉状態である場合には、側方遮蔽部材２０，９０の外側面（外面に相当）と室内機ケーシング１２の外側面（外面）とが略一面状に配置される。
【００２９】
また、室内機ケーシング１２内には、取込口１８から吹出口１５に至る空気流路が形成されている。この空気流路内には、室内ファン１４、室内熱交換器１３および垂直羽根１９等が配置されている。また、この空気流路には、室内ファン１４から垂直羽根１９を介して吹出口１５に至るまでの流路部分である吹き出し流路が含まれる。
【００３０】
室内熱交換器１３は、長手方向両端で複数回折り返されてなる伝熱管と、伝熱管に挿通される複数のフィンとからなり、接触する空気との間で熱交換を行う。また、室内熱交換器１３は、暖房運転時には凝縮器として機能し、冷房運転時には蒸発器として機能する。
【００３１】
室内ファン１４は、モータ１４ａ（図１参照）と、モータ１４ａにより回転駆動される羽根車とを有するクロスフローファンである。また、室内ファン１４は、取込口１８から室内機ケーシング１２内に空気を吸入し、室内熱交換器１３を通過させた後に、吹出口１５から室内機ケーシング１２外に空気を吹き出すことができるように配置されている。
【００３２】
垂直羽根１９は、上述のように、吹き出し流路に配置されている。垂直羽根１９は、駆動モータ（図示せず）と、連結棒（図示せず）と、連結棒によって連結された複数枚の羽根１９ａ（図２参照）とを有しており、揺動可能なように室内機ケーシング１２に取り付けられている。また、複数枚の羽根１９ａの面は、駆動モータによって連結棒が駆動されることで、室内機ケーシング１２の長手方向に対して垂直な状態を中心に左右に揺動する。さらに、羽根１９ａは、揺動することにより、または、揺動した後に任意の角度で止まることで、室内機１０の左右方向における調和空気の吹き出し方向を調整する。
【００３３】
また、垂直羽根１９は、図３Ｂに示すように、主垂直羽根部１９ｃと、主垂直羽根部１９ｃの両側にそれぞれ配置される側方垂直羽根部１９ｄ，１９ｅとを含む。側方垂直羽根部１９ｄ，１９ｅは、室内機１０の正面視において、主垂直羽根部１９ｃの左側に位置する左側方垂直羽根部１９ｄと、主垂直羽根部１９ｃの右側に位置する右側方垂直羽根部１９ｅとから構成される。また、主垂直羽根部１９ｃの有する複数の羽根と左側方垂直羽根部１９ｄの有する羽根と右側方垂直羽根部１９ｅの有する羽根とは、それぞれ別の連結棒によって連結されている。このため、主垂直羽根部１９ｃと左側方垂直羽根部１９ｄと右側方垂直羽根部１９ｅとは、それぞれ異なる方向に揺動することができる。
【００３４】
＜上下風向調整羽根の構成＞
図４は、上下風向調整羽根３０の外観斜視図である。図５は、上下風向調整羽根３０の状態が第１開状態である場合の上下風向調整羽根３０および第１移動機構５０の平面図であって、上下風向調整羽根３０と第１移動機構５０との位置関係を示す概念図である。図６は、上下風向調整羽根３０が閉状態である場合の吹出口１５近傍の概略斜視図である。図７は、上下風向調整羽根３０が第１開状態である場合の吹出口１５近傍の概略斜視図である。図８は、上下風向調整羽根３０が第２開状態である場合の吹出口１５近傍の概略斜視図である。図９は、上下風向調整羽根３０が第３開状態である場合の吹出口１５近傍の概略斜視図である。なお、図６、図７、図８および図９においては、側方遮蔽部材２０，９０を省略して描いている。
【００３５】
上下風向調整羽根３０は、室内機１０の長手方向（水平方向）に長い板状の部材である。また、上下風向調整羽根３０は、室内機１０の下部に配置されている。具体的には、上下風向調整羽根３０は、吹出口１５近傍の空間Ｓ１の正面側Ｆを覆うことが可能なように配置されている。なお、ここでいう吹出口１５近傍の空間Ｓ１とは、図３Ａに示す吹出口１５を構成する２つの短辺（図３Ａ（ｃ）中の点ａ同士を結んだ辺、および、図３Ａ（ｃ）中の点ｂ同士を結んだ辺）を含む面近傍の空間のことである。また、吹出口１５近傍の空間Ｓ１の正面側Ｆとは、吹出口１５近傍の空間Ｓ１において前記面に対する正面側のことである。このため、上下風向調整羽根３０は、前記面よりも前側、すなわち、前記面よりも室内ファン１４によって生成される空気流の下流側に位置している。
【００３６】
さらに、上下風向調整羽根３０は、後述する第１移動機構５０と連結する連結部３２，３３，３４を有する。連結部３２，３３，３４は、上下風向調整羽根３０において、上下風向調整羽根３０が吹出口１５を覆っている状態で、室内機１０の外部から視認することができる面（以下、外側面（外面に相当）３０ｂという）とは反対側の面（以下、内側面３０ａという）に配置されている。また、連結部３２，３３，３４は、第１連結部３２，３３と、第２連結部３４とを含む。第１連結部３２，３３は、図２、図４および図５に示すように、上下風向調整羽根３０において２箇所に配置されている。具体的には、第１連結部３２，３３は、図５に示すように、上下風向調整羽根３０の両端部３０ｇ，３０ｈ近傍であって、上下風向調整羽根３０の一方の長辺（以下、第１長辺３０ｃという）近傍にそれぞれ配置されている。第２連結部３４は、図５に示すように、上下風向調整羽根３０の長手方向の略中央付近であって、上下風向調整羽根３０の第１長辺３０ｃに対向する辺である第２長辺３０ｄ近傍に配置されている。また、第２連結部３４は、上下風向調整羽根３０において、２箇所の第１連結部３２，３３を結ぶ直線上から外れた位置に配置されている。このため、第１連結部３２，３３および第２連結部３４の位置が確定することで、上下風向調整羽根３０の位置および姿勢が確定する。
【００３７】
また、第１連結部３２，３３および第２連結部３４は、図５に示すように、それぞれ軸支部３２ａ，３３ａ，３４ａを含む。各軸支部３２ａ，３３ａ，３４ａは、後述する支持軸５７，６７，７８を回転可能に軸支している。また、各軸支部３２ａ，３３ａ，３４ａは、高摺動性を有しており、摩擦を抑えて支持軸５７，６７，７８を滑らかに回転させることができる。
【００３８】
さらに、上下風向調整羽根３０は、４つの状態（閉状態、第１開状態、第２開状態、および、第３開状態）を採ることが可能である。なお、以下より、説明の便宜上、吹出口１５近傍の空間Ｓ１であって、上下風向調整羽根３０の状態が閉状態である場合に風向調整羽根３０によって覆われる部分、すなわち、上下風向調整羽根３０の状態が閉状態である場合に上下風向調整羽根３０の配置されている空間を、吹出口１５の第１部分１６という。また、本実施形態における「遮蔽」とは、吹出口１５の所定部分を覆うことが可能な部材によって、前記所定部分の略全部が覆われている状態を意味しており、本実施形態における「開放」とは、吹出口１５の所定部分を覆うことが可能な部材によって、前記所定部分の略全部が覆われていない状態を意味している。例えば、吹出口１５の第１部分１６の略全体が上下風向調整羽根３０によって覆われている状態を吹出口１５の第１部分１６が遮蔽されている状態とし、吹出口１５の第１部分１６の略全体が上下風向調整羽根３０によって覆われていない状態を吹出口１５の第１部分１６が開放されている状態とする。
【００３９】
上下風向調整羽根３０の状態が閉状態の場合、図６に示すように、上下風向調整羽根３０は、吹出口１５の第１部分１６を覆うように配置される。このため、上下風向調整羽根３０の状態が閉状態の場合には、上下風向調整羽根３０によって吹出口１５の第１部分１６が遮蔽される。
【００４０】
上下風向調整羽根３０の状態が第１開状態の場合、上下風向調整羽根３０は、吹出口１５の第１部分１６を開放し、かつ、吹出口１５の第１部分１６から室内機１０の前方に向かって空気が吹き出されるように配置される。具体的には、上下風向調整羽根３０は、図７に示すように、吹出口１５の第１部分１６、すなわち、吹出口１５において第１部分１６に相当する開口面に対して略平行に対向するように配置される。
【００４１】
上下風向調整羽根３０の状態が第２開状態の場合、上下風向調整羽根３０は、吹出口１５の第１部分１６を開放し、かつ、吹出口１５の第１部分１６から室内機１０の前方に向かって空気が吹き出されるように配置される。具体的には、上下風向調整羽根３０は、図８に示すように、吹出口１５において第１部分１６に相当する開口面に対して所定角度だけ傾斜するように配置される。言い換えると、上下風向調整羽根３０は、上下風向調整羽根３０において前後方向の後側に近い側の端部、すなわち、上下風向調整羽根３０の第２長辺３０ｄを含む端部（以下、後側端部３０ｅという）が、上下風向調整羽根３０において後側端部３０ｅに対向する端部（以下、前側端部３０ｆという）よりも吹出口１５の第１部分１６に対して近くなるように、傾斜して配置される。したがって、上下風向調整羽根３０が第２開状態の場合には、室内機１０の正面視において、上下風向調整羽根３０の内側面３０ａが視認可能である。なお、上述の前側端部３０ｆとは、上下風向調整羽根３０において前後方向の前側に近い側の端部であって、上下風向調整羽根３０の第１長辺３０ｃを含む端部のことである。
【００４２】
また、上下風向調整羽根３０の状態が第２開状態である場合、上下風向調整羽根３０は、吹出口１５において第１部分１６に相当する開口面に対して前後方向に傾斜して配置されている。このため、上下風向調整羽根３０の状態が第２開状態である場合には、上下風向調整羽根３０の状態が第１開状態である場合と比較して、室内機１０の下方に向かう空気流が形成される。このため、以下より、上下風向調整羽根３０の状態が第２開状態である場合に吹出口１５から吹き出された空気が向かう方向を前側下方といい、上下風向調整羽根３０の状態が第１開状態である場合に吹出口１５から吹き出された空気が向かう方向を前側上方という。
【００４３】
上下風向調整羽根３０の状態が第３開状態の場合、上下風向調整羽根３０は、吹出口１５の第１部分１６を開放し、かつ、吹出口１５の第１部分１６から室内機１０の下方に空気が吹き出されるように配置される。具体的には、上下風向調整羽根３０は、図９に示すように、吹出口１５において第１部分１６に相当する開口面に対して所定角度だけ傾斜するように配置される。より具体的には、上下風向調整羽根３０の前側端部３０ｆが、上下風向調整羽根３０の後側端部３０ｅよりも吹出口１５の第１部分１６に近くなるように上下風向調整羽根３０が傾斜して配置される。このため、上下風向調整羽根３０の状態が第３開状態の場合、室内機１０の正面視において、上下風向調整羽根３０の外側面３０ｂが視認可能である。
【００４４】
＜側方遮蔽部材の構成＞
図１０（ａ）は、上下風向調整羽根３０が閉状態であって、側方遮蔽部材２０，９０が閉状態である場合の室内機１０の正面図であって、左側方遮蔽部材９０近傍の部分拡大図である。図１０（ｂ）は、上下風向調整羽根３０が閉状態であって、側方遮蔽部材２０，９０が閉状態である場合の室内機１０の斜視図であって、左側方遮蔽部材９０近傍の部分拡大図である。図１１（ａ）は、上下風向調整羽根３０が第２開状態であって、側方遮蔽部材２０，９０が閉状態である場合の室内機１０の正面図であって、左側方遮蔽部材９０近傍の部分拡大図である。図１１（ｂ）は、上下風向調整羽根３０が第２開状態であって、側方遮蔽部材２０，９０が閉状態である場合の室内機１０の斜視図であって、左側方遮蔽部材９０近傍の部分拡大図である。図１２（ａ）は、上下風向調整羽根３０が第２開状態であって、側方遮蔽部材２０，９０が開状態である場合の室内機１０の正面図であって、左側方遮蔽部材９０近傍の部分拡大図である。図１２（ｂ）は、上下風向調整羽根３０が第２開状態であって、側方遮蔽部材２０，９０が開状態である場合の室内機１０の斜視図であって、左側方遮蔽部材９０近傍の部分拡大図である。
【００４５】
側方遮蔽部材２０，９０は、室内機１０の左右両側方下部に配置されている。具体的には、側方遮蔽部材２０，９０は、湾曲した板状の部材であって、吹出口１５近傍の空間Ｓ１の正面側および側面側を覆うことが可能である。また、側方遮蔽部材２０，９０は、吹出口１５において、上下風向調整羽根３０によって覆われる吹出口１５の第１部分１６以外の部分を覆うことが可能である。なお、ここでいう吹出口１５近傍の空間Ｓ１の側面側とは、吹出口１５近傍の空間Ｓ１の正面側に対する側面側を意味している。
【００４６】
また、側方遮蔽部材２０，９０は、側方遮蔽部材２０，９０と上下風向調整羽根３０とが吹出口１５近傍の空間Ｓ１を覆っている場合、言い換えると、室内機１０の風向状態が運転停止状態である場合には、室内機１０の底面視において、側方遮蔽部材２０，９０において吹出口１５近傍の空間Ｓ１の正面側を覆っている部分と上下風向調整羽根３０とが概ね連続して配置されている。このため、室内機１０の風向状態が運転停止状態である場合には、側方遮蔽部材２０，９０において吹出口１５近傍の空間Ｓ１の正面側を覆っている部分の外側面と上下風向調整羽根３０の外側面３０ｂとが略一面状に配置される。
【００４７】
なお、以下より、説明の便宜上、側方遮蔽部材２０，９０のうち、室内機１０の正面視において、室内機１０の右側下部に配置される側方遮蔽部材２０を右側方遮蔽部材２０といい、室内機１０の左側下部に配置される側方遮蔽部材９０を左側方遮蔽部材９０という。また、右側方遮蔽部材２０は、左側方遮蔽部材９０の構成を左右対称にした構成と同様であるため、ここでは、左側方遮蔽部材９０の構成のみを説明し、右側方遮蔽部材２０の構成については説明を省略する。
【００４８】
左側方遮蔽部材９０は、図１０、図１１および図１２に示すように、室内機１０の下部の角部に沿った湾曲した形状を有している。また、左側方遮蔽部材９０は、第１部９１と、第２部９２とを有する。第１部９１には、左側方遮蔽部材９０の第１端部９０ａが含まれる。また、第２部９２には、左側方遮蔽部材９０の第２端部９０ｂが含まれる。
【００４９】
また、側方遮蔽部材２０，９０は、２つの状態（閉状態および開状態）を採ることが可能である。なお、以下より、説明の便宜上、吹出口１５近傍の空間Ｓ１であって、側方遮蔽部材２０，９０が閉状態である場合に、左側方遮蔽部材９０によって覆われる部分、言い換えると、吹出口１５において側方遮蔽部材２０，９０が閉状態である場合に左側方遮蔽部材９０の配置される空間を吹出口１５の第２部分１７ａといい、右側方遮蔽部材２０によって覆われる部分、言い換えると、吹出口１５において側方遮蔽部材２０，９０が閉状態である場合に右側方遮蔽部材２０の配置される空間を吹出口１５の第３部分１７ｂという。
【００５０】
側方遮蔽部材２０，９０の状態が閉状態である場合、側方遮蔽部材２０，９０が吹出口１５の第２部分１７ａおよび第３部分１７ｂを覆うように配置される（図１０参照）。具体的には、側方遮蔽部材２０，９０の状態が閉状態である場合には、右側方遮蔽部材２０が吹出口１５の第３部分１７ｂを覆うように配置され、左側方遮蔽部材９０が吹出口１５の第２部分１７ａを覆うように配置される。このため、上下風向調整羽根３０および側方遮蔽部材２０，９０が閉状態である場合には、吹出口１５が遮蔽される。
【００５１】
側方遮蔽部材２０，９０の状態が開状態である場合、側方遮蔽部材２０，９０が吹出口１５の第２部分１７ａおよび第３部分１７ｂを開放するように配置される（図１２参照）。具体的には、右側方遮蔽部材２０が吹出口１５の第３部分１７ｂを開放するように配置され、左側方遮蔽部材９０が吹出口１５の第２部分１７ａを開放するように配置される。
【００５２】
＜第１移動機構の構成＞
第１移動機構５０は、吹出口１５近傍の空間Ｓ１の正面側が覆われている状態から吹出口１５近傍の空間Ｓ１の正面側が開放されている状態となるように、上下風向調整羽根３０を移動させる機構である。言い換えると、第１移動機構５０は、吹出口１５において第１部分１６に相当する開口面に対する上下風向調整羽根３０の位置を移動させることで、上下風向調整羽根３０の状態を切り換えることができる。
【００５３】
第１移動機構５０は、迫り出し機構５１，６１と、角度調整機構７１とを有している。迫り出し機構５１，６１は、上下風向調整羽根３０が吹出口１５近傍から迫り出されるように、上下風向調整羽根３０と迫り出し機構５１，６１とが連結されている部分である第１連結部３２，３３を移動させることで、上下風向調整羽根３０をスライド移動させる。言い換えると、迫り出し機構５１，６１は、第１連結部３２，３３をスライド移動させることで、上下風向調整羽根３０を、吹出口１５において第１部分１６に相当する開口面に対して移動することが可能な機構である。
【００５４】
また、迫り出し機構５１，６１は、図４および図５に示すように、第１迫り出し機構５１と、第２迫り出し機構６１とを有する。なお、本実施形態では、第１迫り出し機構５１と第２迫り出し機構６１との構成は同様であるため、ここでは、第１迫り出し機構５１の構成についてのみ説明を行い、第２迫り出し機構６１については、第１迫り出し機構５１の構成部品に付される５０番台の符号を６０番台に読み替えることによって、説明を省略する。
【００５５】
第１迫り出し機構５１は、図４および図５に示すように、ピニオン歯車５２と、移動部材５３と、迫り出し機構駆動用モータ５４とを有している。
【００５６】
ピニオン歯車５２は、迫り出し機構駆動用モータ５４の有する駆動軸５４ａに連結されており、迫り出し機構駆動用モータ５４が駆動することによって回転する。
【００５７】
移動部材５３は、ピニオン歯車５２と噛み合うラック５６と、支持軸５７とを有している。ラック５６は、移動部材５３の一端部５３ａ近傍から他端部５３ｂ近傍にかけて配置されている。支持軸５７は、棒状の部材であって、移動部材５３の端部５３ａ近傍の端面から外側に向かって突出している。さらに、支持軸５７は、上下風向調整羽根３０の軸支部３２ａを上下風向調整羽根３０の長手方向に対して平行に挿通しており、上下風向調整羽根３０を回動可能に支持している。
【００５８】
迫り出し機構駆動用モータ５４は、ステッピングモータであって、駆動軸５４ａを有している。駆動軸５４ａは、迫り出し機構駆動用モータ５４に連結されており、迫り出し機構駆動用モータ５４が駆動することによって回転する。このため、迫り出し機構駆動用モータ５４は、駆動軸５４ａを回転させることで、ピニオン歯車５２を回転させることができる。なお、本実施形態では、迫り出し機構駆動用モータ５４とピニオン歯車５２とは、互いに対向するように配置されている。また、迫り出し機構駆動用モータ５４は、後述する取り付け板８０に固定されている。
【００５９】
このような構成によって、迫り出し機構駆動用モータ５４，６４がピニオン歯車５２，６２を回転させると、ピニオン歯車５２，６２と噛み合うラック５６，６６に動力が伝達されて、ピニオン歯車５２，６２に対する移動部材５３，６３の位置が変化する。具体的には、図４および図５に示すように、移動部材５３，６３のうち上下風向調整羽根３０と連結されている端部を移動部材５３，６３の下端部５３ａ，６３ａとし、下端部５３ａ，６３ａとは反対側の端部を移動部材５３，６３の上端部５３ｂ，６３ｂとすると、迫り出し機構駆動用モータ５４，６４が駆動することで、移動部材５３，６３の上端部５３ｂ，６３ｂが、ピニオン歯車５２，６２近傍の位置に移動したり、ピニオン歯車５２，６２から離れた位置に移動したりする。このため、移動部材５３，６３の下端部５３ａ，６３ａに連結している上下風向調整羽根３０は、移動部材５３，６３の移動に伴って、吹出口１５における第１部分１６に相当する開口面に向かう方向すなわち吹出口１５の第１部分１６を遮蔽する方向、あるいは、吹出口１５における第１部分１６に相当する開口面から遠ざかる方向すなわち吹出口１５の第１部分１６を開放する方向に移動する。
【００６０】
これによって、迫り出し機構５１，６１は、上下風向調整羽根３０が吹出口１５近傍から迫り出されるように、上下風向調整羽根３０をスライド移動、すなわち、迫り出し移動させることができる。なお、迫り出し機構駆動用モータ５４，６４の回転量および回転方向は、後述する制御部８４によって制御されている。
【００６１】
角度調整機構７１は、上下風向調整羽根３０の吹出口１５において第１部分１６に相当する開口面に対する傾斜角度が調整されるように、上下風向調整羽根３０と角度調整機構７１とが連結されている部分である第２連結部３４を移動させる。
【００６２】
角度調整機構７１は、角度調整機構駆動用モータ７３と、リンク機構７２とを備えている。
【００６３】
角度調整機構駆動用モータ７３は、駆動軸７３ａを有している。角度調整機構駆動用モータ７３は、ステッピングモータであって、駆動軸７３ａを介してリンク機構７２を駆動させる。
【００６４】
リンク機構７２は、揺動レバー７４と、アーム７５とを有している。揺動レバー７４は、その一端部が、角度調整機構駆動用モータ７３の駆動軸７３ａに連結されている。また、揺動レバー７４の他端部は、アーム７５の一端部と回動可能に連結されている。
【００６５】
また、アーム７５は、支持軸７８を含む。支持軸７８は、アーム７５において揺動レバー７４と連結している端部とは反対側の端部近傍の両端面から外側方向に向かって突出している。さらに、支持軸７８は、上下風向調整羽根３０の軸支部３４ａと係合しており、上下風向調整羽根３０を回動可能の支持している。
【００６６】
このため、リンク機構７２は、揺動レバー７４が図６に示す位置にある場合には、上下風向調整羽根３０が吹出口１５の第１部分１６を遮蔽している状態となる。また、揺動レバー７４が図７または図８に示す位置にある場合には、上下風向調整羽根３０の状態が、第１開状態、または、第２開状態となる。さらに、揺動レバー７４が図９に示す位置にある場合には、上下風向調整羽根３０の状態が、第３開状態となる。
【００６７】
このような構成によって、角度調整機構７１は、角度調整機構駆動用モータ７３が駆動することで、上下風向調整羽根３０の第２連結部３４を押し引きすることができる。なお、リンク機構７２の回転角度、すなわち、角度調整機構駆動用モータ７３の回転量および回転方向は、後述する制御部８４によって制御されている。
【００６８】
このように、上下風向調整羽根３０は、迫り出し機構５１，６１によって吹出口１５の第１部分１６から第１連結部３２，３３までの距離が調整され、角度調整機構７１によって吹出口１５の第１部分１６から第２連結部３４までの距離が調整されることで、吹出口１５において第１部分１６に相当する開口面に対する傾斜角度が変更される。また、上下風向調整羽根３０が第１開状態から第２開状態に切り換わる場合には、迫り出し機構５１，６１は、第２連結部３４に軸支されている支持軸７８を回転軸として第１連結部３２，３３を移動させる。さらに、上下風向調整羽根３０が第２開状態から第３開状態に切り換わる場合には、角度調整機構７１は、第１連結部３２，３３に軸支されている支持軸５７，６７を回転軸として第２連結部３４を移動させる。このため、上下風向調整羽根３０の前側端部３０ｆ近傍の第１連結部３２，３３および後側端部３０ｅ近傍の第２連結部３４のいずれか一方に軸支されている支持軸を回転軸とし、回転軸として機能していない方の支持軸を軸支している連結部を可動させることで、吹出口１５の第１部分１６に対する上下風向調整羽根３０の傾斜角度が変更されている。
【００６９】
また、第１移動機構５０は、取り付け板８０を有している。取り付け板８０は、吹出口１５において第１部分１６に相当する開口面よりも上方に配置されている。また、取り付け板８０の上面には、２つの迫り出し機構駆動用モータ５４，６４および角度調整機構駆動用モータ７３が固定されている。具体的には、迫り出し機構駆動用モータ５４，６４は、取り付け板８０の両端部近傍にそれぞれ固定されている。また、角度調整機構駆動用モータ７３は、取り付け板８０の略中央部に固定されている。このようにして、迫り出し機構駆動用モータ５４，６４および角度調整機構駆動用モータ７３は、取り付け板８０とともに、室内機ケーシング１２の内部に収納されている。
【００７０】
また、取り付け板８０には、迫り出し機構駆動用モータ５４，６４の近傍に、それぞれの移動部材５３，６３が挿通可能な移動部材挿通開口８１ａ，８１ｂが形成されている。なお、移動部材挿通開口８１ａ，８１ｂは、移動部材５３，６３のラック５６，６６以外の部分を支持することができるように、その一部が狭くなるように形成されている。さらに、取り付け板８０には、図４および図５に示すように、各移動部材５３，６３を案内するための案内溝８２ａ，８２ｂが設けられている。
【００７１】
また、取り付け板８０には、角度調整機構駆動用モータ７３近傍に、揺動レバー７４が挿通可能なレバー挿通開口８３が形成されている。
【００７２】
＜第２移動機構の構成＞
図１３（ａ）は、上下風向調整羽根３０が第２開状態であって、側方遮蔽部材２０，９０が閉状態である場合の室内機１０の断面図であって、左側方遮蔽部材９０近傍の概略図である。図１３（ｂ）は、上下風向調整羽根３０が第２開状態であって、側方遮蔽部材２０，９０が開状態である場合の室内機１０の断面図であって、左側方遮蔽部材９０近傍の概略図である。
【００７３】
第２移動機構２９，９９は、第１移動機構５０とは別の移動機構であって、吹出口１５近傍の空間Ｓ１の側面側が覆われている状態から吹出口１５近傍の空間Ｓ１の側面側が開放されている状態となるように、側方遮蔽部材２０，９０を移動させることが可能な機構である。言い換えると、第２移動機構２９，９９は、側方遮蔽部材２０，９０の状態を切り換えるために、側方遮蔽部材２０，９０を移動させる。
【００７４】
第２移動機構２９，９９は、第２移動機構駆動用モータ２４，９４（図１４参照）と、支持部材（９３；図１３参照）とを備えている。また、第２移動機構２９，９９は、右側方遮蔽部材２０の状態を切り換えるための右側方遮蔽部材移動機構２９と、左側方遮蔽部材９０の状態を切り換えるための左側方遮蔽部材移動機構９９とを有する。また、右側方遮蔽部材移動機構２９は、左側方遮蔽部材移動機構９９の構成を左右対称にした構成と同様であるため、ここでは、左側方遮蔽部材移動機構９９の構成のみを説明し、右側方遮蔽部材移動機構２９の構成については説明を省略する。
【００７５】
第２移動機構駆動用モータ９４は、室内機本体１１内に配置されており、室内機ケーシング１２に固定されている。また、第２移動機構駆動用モータ９４は、回転軸（図示せず）を有している。回転軸は、室内機１０の前後方向に延びており、第２移動機構駆動用モータ９４が駆動することによって回転する。また、回転軸は、後述する第１壁部９６よりも上方に位置している。
【００７６】
支持部材９３は、図１３に示すように、板状の部材であって、その一端部９３ａが左側方遮蔽部材９０の第１端部９０ａ近傍に連結している。また、支持部材９３の他端部９３ｂは回転軸に連結されている。さらに、支持部材９３は、図１３に示すように、後述する第１壁部９６の上方から第１壁部９６の下方まで延びており、回転軸が回転することで回転軸を中心として第１壁部９６の切り欠き部９６ｄに沿って移動する。
【００７７】
このような構成によって、第２移動機構駆動用モータ２４，９４が駆動することで回転軸が回転し、回転軸が回転することで支持部材が第１壁部９６の切り欠き部９６ｄに沿って移動する。また、支持部材が第１壁部９６の切り欠き部９６ｄに沿って移動することで、側方遮蔽部材２０，９０が回転軸を中心に移動する。このため、側方遮蔽部材２０，９０は、円弧を描くように移動することで、吹出口１５の第２部分１７ａおよび第３部分１７ｂを遮蔽したり開放したりすることができる。なお、第２移動機構駆動用モータ２４，９４の駆動は、後述する制御部８４によって制御されている。
【００７８】
また、第２移動機構２９，９９は、開状態である側方遮蔽部材２０，９０を収納するための収納部２５，９５を備えている。収納部２５は、吹き出し流路において吹出口１５の第３部分１７ｂ近傍に配置されている。また、収納部９５は、吹き出し流路において吹出口１５の第２部分１７ａ近傍に配置されている。このため、吹き出し流路は、その下部において、収納部２５，９５によって３つの流路に分けられる。ここで、説明の便宜上、吹き出し流路において、その入口が２つの収納部２５，９５の上端部によって規定されており、その出口が吹出口１５の第１部分１６である流路部分を主吹き出し流路Ｂという。また、吹き出し流路において、収納部２５の上端部がその入口に位置しており、その出口が吹出口１５の第３部分１７ｂである流路部分を右側吹き出し流路Ｄという。また、吹き出し流路において、収納部９５の上端部がその入口に位置しており、その出口が吹出口１５の第２部分１７ａである流路部分を左側吹き出し流路Ｃという。すなわち、収納部２５は、主吹き出し流路Ｂと右側吹き出し流路Ｄとの間に配置されており、収納部９５は、主吹き出し流路Ｂと左側吹き出し流路Ｃとの間に配置されている。また、吹き出し流路の出口は、それぞれ、上下風向調整羽根３０、左側方遮蔽部材９０、および、右側方遮蔽部材２０によって塞がれる。具体的には、上下風向調整羽根３０によって主吹き出し流路Ｂの出口が塞がれ、左側方遮蔽部材９０によって左側吹き出し流路Ｃの出口が塞がれ、右側方遮蔽部材２０によって右側吹き出し流路Ｄの出口が塞がれる。
【００７９】
また、収納部２５，９５は、開状態である側方遮蔽部材２０，９０が収納される収納空間を形成する第１壁部２６，９６と第２壁部２７，９７とを有している。第１壁部２６，９６は、吹出口１５の第２部分１７ａ近傍または第３部分１７ｂ近傍から上方に延びている。また、第１壁部２６，９６は側方遮蔽部材２０，９０に対応可能なように湾曲した形状を呈しており、第１壁部２６，９６の上端部（９６ａ；図１３参照）が、第１壁部２６，９６の下端部（９６ｂ；図１３参照）よりも室内機本体１１の中央側に近くなるように傾斜して配置されている。さらに、第１壁部２６，９６には、支持部材（９３；図１３参照）の移動（回転）時の軌道に沿って切り欠き部（９６ｄ；図１３参照）が形成されている。
【００８０】
また、第２壁部２７，９７は、吹出口１５の第１部分１６と吹出口１５の第２部分１７ａとの境界近傍、または、吹出口１５の第１部分１６と吹出口１５の第３部分１７ｂとの境界近傍から上方に延びている。また、第２壁部２７，９７は、側方遮蔽部材２０，９０に対応可能なように湾曲した形状を呈しており、第２壁部２７，９７の上端部（９７ａ；図１３参照）が、第２壁部２７，９７の下端部（９７ｂ；図１３参照）よりも室内機本体１１の中央側に近くなるように傾斜して配置されている。さらに、収納部２５，９５の上端部、すなわち、第２壁部２７，９７の上端部（９７ａ；図１３参照）と第１壁部２６，９６の上端部（９６ａ；図１３参照）とは、連続した構成となっている。このため、第２壁部２７，９７は、第１壁部２６，９６よりも室内機１０の中央側に配置されている。
【００８１】
なお、垂直羽根１９は、吹き出し流路において、収納部２５，９５の上端部よりも室内ファン１４近傍に配置されている。また、収納部２５，９５は、側方垂直羽根部１９ｄ，１９ｅの有する羽根が揺動して傾斜した状態を採ったときに側方垂直羽根部１９ｄ，１９ｅの有する羽根の各先端部が収納部２５，９５の上端部近傍に位置するように配置されている（図３Ｂ参照）。このため、垂直羽根１９が図３Ｂに示すような状態で、室内ファン１４によって空気流が生成された場合には、調和空気が左側吹き出し流路Ｃおよび右側吹き出し流路Ｄに導かれる。
【００８２】
また、側方遮蔽部材２０，９０が開状態である場合、側方遮蔽部材２０，９０は、収納空間に収納されているため、吹出口１５の第２部分１７ａおよび吹出口１５の第３部分１７ｂから吹き出される空気流れに対して影響を与えない。したがって、垂直羽根１９によって左側吹き出し流路Ｃおよび右側吹き出し流路Ｄの各入口に導かれた調和空気は、左側方または右側方に向かって傾斜している第１壁部２６，９６の案内面（９６ｃ；図１３参照）に沿って、言い換えると、第１壁部２６，９６の案内面（９６ｃ；図１３参照）に規制されて、左側吹き出し流路Ｃおよび右側吹き出し流路Ｄを流れて、左側吹き出し流路Ｃおよび右側吹き出し流路Ｄの各出口から吹き出される。また、左側吹き出し流路Ｃおよび右側吹き出し流路Ｄの出口は、室内機１０の側方に向かってに開口しているため、左側吹き出し流路Ｃおよび右側吹き出し流路Ｄの出口から吹き出される空気は室内機１０の左右両側方側に向けて流れることになる。
【００８３】
なお、図１３（ｂ）では、左側方垂直羽根部１９ｄの有する羽根の先端部が左側吹出口流路Ｃの入口近傍に位置するように描かれていないが、実際には、左側方遮蔽部材９０の状態が開状態となった場合には、左側方垂直羽根部１９ｄの有する羽根の先端部が左側吹出口流路Ｃの入口近傍に位置する。
【００８４】
また、本実施形態では、側方垂直羽根部１９ｄ，１９ｅの有する羽根は、側方遮蔽部材２０，９０の状態が開状態である場合にのみ、その先端部が左側吹き出し流路Ｃまたは右側吹き出し流路Ｄの入口近傍に配置され、側方遮蔽部材２０，９０の状態が閉状態である場合には、その先端部が左側吹き出し流路Ｃまたは右側吹き出し流路Ｄの入口近傍から離れた位置に配置されるものとする。このため、本実施形態では、各側方遮蔽部材２０，９０が閉状態である場合に、側方垂直羽根部１９ｄ，１９ｅによって、調和空気が左側吹き出し流路Ｃまたは右側吹き出し流路Ｄに導かれたり、左側吹き出し流路Ｃまたは右側吹き出し流路Ｄの各入口が覆われたりしない構成となっている。
【００８５】
＜制御部＞
図１４は、空気調和機１の備える制御部８４の制御ブロック図である。
【００８６】
制御部８４は、図１４に示すように、室内機１０および室外機２の各種機器と接続されており、リモートコントローラ８６を介した空調対象者からの運転指令に基づいて、冷房運転や暖房運転等の各運転モードに応じた各種機器の運転制御を行うことができる。
【００８７】
また、リモートコントローラ８６には、運転停止ボタンや風向設定ボタン８６ａ等の複数のスイッチが設けられている。運転停止ボタンは、空調対象者が空気調和機１の運転を停止させるときに操作されるスイッチである。また、風向設定ボタン８６ａは、空調対象者が室内機１０から吹き出される空気の吹き出し方向を設定するときに操作されるスイッチである。例えば、空調対象者によって風向設定ボタン８６ａが押されると、制御部８４は空調対象者からの風向設定指令を制御信号として受信する。なお、本実施形態における風向設定指令には、調和空気が室内機１０の側方に吹き出すように空気の吹き出し方向を設定するための指令である第１指令と、調和空気が主に室内機１０の前側上方および側方に吹き出すように空気の吹き出し方向を設定するための指令である第２指令とが含まれる。
【００８８】
また、制御部８４は、上下風向調整羽根３０および側方遮蔽部材２０，９０の状態を切り換えるための駆動制御部８５を有する。駆動制御部８５は、２つの迫り出し機構駆動用モータ５４，６４、角度調整機構駆動用モータ７３および２つの第２移動機構駆動用モータ２４，９４の回転数および回転方向を制御することで、上下風向調整羽根３０および側方遮蔽部材２０，９０の状態を切り換える。このため、制御部８４は、各運転モードあるいは空調対象者からの風向設定指令に応じて、室内機１０の風向状態を変更することができる。また、本実施形態では、室内機１０は、運転停止状態、第１冷房状態、第２冷房状態、第１暖房状態、第２暖房状態、および、三方風向状態の６つの風向状態を採ることが可能である。
【００８９】
なお、室内機１０の風向状態が運転停止状態である場合、上下風向調整羽根３０および側方遮蔽部材２０，９０は、いずれも閉状態を採っている。また、室内機１０の風向状態が第１冷房状態である場合、上下風向調整羽根３０は第２開状態を採っており、側方遮蔽部材２０，９０は閉状態を採っている。室内機１０の風向状態が第２冷房状態である場合、上下風向調整羽根３０は第２開状態を採っており、側方遮蔽部材２０，９０は開状態を採っている。室内機１０の風向状態が第１暖房状態である場合、上下風向調整羽根３０は第３開状態を採っており、側方遮蔽部材２０，９０は閉状態を採っている。室内機１０の風向状態が第２暖房状態である場合、上下風向調整羽根３０は第３開状態を採っており、側方遮蔽部材２０，９０は開状態を採っている。室内機１０の風向状態が三方風向状態である場合、上下風向調整羽根３０は第１開状態を採っており、側方遮蔽部材２０，９０は開状態を採っている。
【００９０】
例えば、空気調和機１の運転が停止している状態、すなわち、室内機１０の風向状態が運転停止状態である場合に、空調対象者からリモートコントローラ８６を介して冷房運転の開始指令が為されると、駆動制御部８５は、室内機１０の風向状態が第１冷房風向状態となるように、第１移動機構５０を制御する。具体的には、駆動制御部８５は、迫り出し機構駆動用モータ５４，６４および角度調整機構駆動用モータ７３を制御することで、上下風向調整羽根３０の状態を閉状態から第１開状態に切り換える。そして、上下風向調整羽根３０の状態が第１開状態に切り換わると、更に、駆動制御部８５は、迫り出し機構駆動用モータ５４，６４を制御することで、上下風向調整羽根３０の状態を第１開状態から第２開状態に切り換える。なお、このとき、駆動制御部８５は第２移動機構駆動用モータ２４，９４を駆動させる制御を行わないため、側方遮蔽部材２０，９０は、吹出口１５の第２部分１７ａおよび第３部分１７ｂに位置しており、吹出口１５における第２部分１７ａおよび第３部分１７ｂに相当する開口面が遮蔽された状態が維持される。このため、吹出口１５の第１部分１６のみが開放される。
【００９１】
また、このとき、制御部８４は、垂直羽根１９が室内機ケーシング１２の長手方向に対して垂直な状態で止まるように、駆動モータを制御する。このため、調和空気は、垂直羽根１９によって、主吹き出し流路Ｂにのみ導かれ、左側吹き出し流路Ｃおよび右側吹き出し流路Ｄに導かれない。
【００９２】
このため、空気調和機１の運転が停止している状態で、空調対象者からリモートコントローラ８６を介して冷房運転の開始指令が為されて、室内ファン１４によって空気流が生成されると、調和空気が、主吹き出し流路Ｂを流れて吹出口１５の第１部分１６に至る。そして、吹出口１５の第１部分１６に至った調和空気は、傾斜している上下風向調整羽根３０の内側面３０ａに沿って室内機１０の前側下方に吹き出される（図１１参照）。
【００９３】
これによって、吹出口１５から吹き出される空気の吹き出し方向が室内機１０の前側下方となるため、室内機１０の設置されている室内空間を室内機１０の前側の空間である第１空間と第１空間よりも後側の空間である第２空間とに分けた場合、調和空気が、室内空間のうち、主に、第１空間の下部に吹き出されることになる。
【００９４】
また、空気調和機１において室内機１０の風向状態が第１冷房状態である冷房運転が実行されているときに、リモートコントローラ８６を介して空調対象者から風向設定指令のうちの第１指令が為されると、駆動制御部８５は、室内機１０の風向状態が第１冷房状態から第２冷房風向状態となるように、第２移動機構２９，９９を制御する。具体的には、駆動制御部８５は、側方遮蔽部材２０，９０の状態が閉状態から開状態に切り換わるように、第２移動機構駆動用モータ２４，９４を制御する。なお、このとき、上下風向調整羽根３０の状態は、第２開状態が維持される。このため、吹出口１５の第１部分１６、第２部分１７ａおよび第３部分１７ｂが開放される。
【００９５】
また、このとき、制御部８４は、垂直羽根１９の主垂直羽根部１９ｃが室内機ケーシング１２の長手方向に対して垂直な状態で止まるように、駆動モータを制御する。また、制御部８４は、左側方垂直羽根部１９ｄの先端部が収納部９５の上端部近傍に位置し、右側方垂直羽根部１９ｅの先端部が収納部２５の上端部近傍に位置するように、駆動モータを制御する。このため、調和空気は、垂直羽根１９によって、主吹き出し流路Ｂ、左側吹き出し流路Ｃおよび右側吹き出し流路Ｄに導かれる。したがって、主吹き出し流路Ｂを流れる調和空気は吹出口１５の第１部分１６に至り、左側吹き出し流路Ｃを流れる調和空気は吹出口１５の第２部分１７ａに至り、右側吹き出し流路Ｄを流れる調和空気は吹出口１５の第３部分１７ｂに至る（図１２参照）。
【００９６】
そして、吹出口１５の第１部分１６に至った調和空気は、傾斜している上下風向調整羽根３０の内側面３０ａに沿って室内機１０の前側下方に向かって吹き出される。
【００９７】
また、左側吹き出し流路Ｃを流れる調和空気は、収納部９５の第１壁部９６の案内面９６ｃに沿って開放されている吹出口１５の第２部分１７ａから室内機１０の左側方に向かって吹き出される。さらに、右側吹き出し流路Ｄを流れる調和空気は、収納部２５の第１壁部２６の案内面に沿って開放されている吹出口１５の第３部分１７ｂから室内機１０の右側方に向かって吹き出される。
【００９８】
したがって、空気調和機１において冷房運転が実行されているときに、リモートコントローラ８６を介して空調対象者から風向設定指令のうちの第１指令が為されると、吹出口１５から吹き出される空気の吹き出し方向が、室内機１０の前側下方および左右両側方に変更される。
【００９９】
これによって、吹出口１５から吹き出される空気の吹き出し方向が室内機１０の前側下方および左右両側方となるため、第２空間のうち室内機１０の両側方の空間を特に側方部とした場合、調和空気が、室内空間のうち、主に、第１空間の下部および第２空間の側方部に吹き出されることになる。
【０１００】
また、空気調和機１において室内機１０の風向状態が第１冷房状態である冷房運転が実行されているときに、リモートコントローラ８６を介して空調対象者から風向設定指令のうちの第２指令が為されると、駆動制御部８５は、室内機１０の風向状態が第１冷房状態から三方風向状態となるように、第１移動機構５０および第２移動機構２９，９９を制御する。具体的には、駆動制御部８５は、上下風向調整羽根３０の状態が第２開状態から第１開状態に切り換わるように迫り出し機構駆動用モータ５４，６４を制御するとともに、側方遮蔽部材２０，９０の状態が閉状態から開状態に切り換わるように第２移動機構駆動用モータ２４，９４を制御する。このため、吹出口１５の第１部分１６、第２部分１７ａおよび第３部分１７ｂが開放される。
【０１０１】
また、このとき、制御部８４は、垂直羽根１９の主垂直羽根部１９ｃが室内機ケーシング１２の長手方向に対して垂直な状態で止まるように、駆動モータを制御する。また、制御部８４は、左側方垂直羽根部１９ｄの先端部が収納部９５の上端部近傍に位置し、右側方垂直羽根部１９ｅの先端部が収納部２５の上端部近傍に位置するように、駆動モータを制御する。このため、調和空気は、垂直羽根１９によって、主吹き出し流路Ｂ、左側吹き出し流路Ｃおよび右側吹き出し流路Ｄに導かれる。したがって、主吹き出し流路Ｂを流れる調和空気は吹出口１５の第１部分１６に至り、左側吹き出し流路Ｃを流れる調和空気は吹出口１５の第２部分１７ａに至り、右側吹き出し流路Ｄを流れる調和空気は吹出口１５の第３部分１７ｂに至る。
【０１０２】
そして、吹出口１５の第１部分１６に至った調和空気は、吹出口１５において第１部分１６に相当する開口面と略平行となるように配置されている上下風向調整羽根３０の内側面３０ａに沿って室内機１０の前側上方に吹き出される。
【０１０３】
また、左側吹き出し流路Ｃを流れる調和空気は、収納部９５の第１壁部９６の案内面９６ｃに沿って開放されている吹出口１５の第２部分１７ａから室内機１０の左側方に向かって吹き出される。さらに、右側吹き出し流路Ｄを流れる調和空気は、収納部２５の第１壁部２６の案内面に沿って開放されている吹出口１５の第３部分１７ｂから室内機１０の右側方に向かって吹き出される。
【０１０４】
したがって、空気調和機１において冷房運転が実行されているときに、リモートコントローラ８６を介して空調対象者から風向設定指令のうちの第２指令が為されると、吹出口１５から吹き出される空気の吹き出し方向が、室内機１０の前側上方および左右両側方に変更される。
【０１０５】
これによって、吹出口１５から吹き出される空気の吹き出し方向が室内機１０の前側上方および左右両側方となるため、調和空気が、室内空間のうち、主に、第１空間の上部および第２空間の側方部に吹き出されることになる。
【０１０６】
また、例えば、空気調和機１の運転が停止している状態で、空調対象者からリモートコントローラ８６を介して暖房運転の開始指令が為されると、駆動制御部８５は、室内機１０の風向状態が第１暖房風向状態となるように、第１移動機構５０を制御する。具体的には、駆動制御部８５は、迫り出し機構駆動用モータ５４，６４および角度調整機構駆動用モータ７３を制御することで、上下風向調整羽根３０の状態を閉状態から第１開状態に切り換える。次に、上下風向調整羽根３０の状態が第１開状態に切り換わると、駆動制御部８５は、迫り出し機構駆動用モータ５４，６４を更に制御することで、上下風向調整羽根３０の状態を第１開状態から第２開状態に切り換える。そして、上下風向調整羽根３０の状態が第２開状態に切り換わると、駆動制御部８５は、角度調整機構駆動用モータ７３を更に制御することで、上下風向調整羽根３０の状態を第２開状態から第３開状態に切り換える。なお、このとき、駆動制御部８５は第２移動機構駆動用モータ２４，９４を駆動させる制御を行わないため、側方遮蔽部材２０，９０は吹出口１５の第２部分１７ａおよび第３部分１７ｂに位置しており、吹出口１５における第２部分１７ａおよび第３部分１７ｂに相当する開口面が遮蔽された状態が維持される。このため、吹出口１５の第１部分１６のみが開放される。
【０１０７】
また、このとき、制御部８４は、垂直羽根１９が室内機ケーシング１２の長手方向に対して垂直な状態で止まるように、駆動モータを制御する。このため、調和空気は、垂直羽根１９によって、主吹き出し流路Ｂにのみ導かれ、左側吹き出し流路Ｃおよび右側吹き出し流路Ｄに導かれない。
【０１０８】
このため、空気調和機１の運転が停止している状態で、空調対象者からリモートコントローラ８６を介して暖房運転の開始指令が為されて、室内ファン１４によって空気流が生成されると、調和空気が、主吹き出し流路Ｂを流れて吹出口１５の第１部分１６に至る。そして、吹出口１５の第１部分１６に至った調和空気は、傾斜している上下風向調整羽根３０の内側面３０ａに沿って室内機１０の下方に吹き出される。
【０１０９】
これによって、吹出口１５から吹き出される空気の吹き出し方向が室内機１０の下方となるため、第２空間のうち室内機１０の下方の空間を特に下部とした場合、調和空気が、室内空間のうち、主に、第２空間の下部に吹き出されることになる。
【０１１０】
また、空気調和機１において室内機１０の風向状態が第１暖房状態である場合の暖房運転が実行されているときに、リモートコントローラ８６を介して空調対象者から風向設定指令のうちの第１指令が為されると、駆動制御部８５は、室内機１０の風向状態が第１暖房状態から第２暖房風向状態となるように、第２移動機構２９，９９を制御する。具体的には、駆動制御部８５は、側方遮蔽部材２０，９０の状態が閉状態から開状態に切り換わるように第２移動機構駆動用モータ２４，９４を制御する。なお、このとき、上下風向調整羽根３０の状態は、第３開状態が維持される。このため、吹出口１５の第１部分１６、第２部分１７ａおよび第３部分１７ｂが開放される。
【０１１１】
また、このとき、制御部８４は、垂直羽根１９の主垂直羽根部１９ｃが室内機ケーシング１２の長手方向に対して垂直な状態で止まるように、駆動モータを制御する。また、制御部８４は、左側方垂直羽根部１９ｄの先端部が収納部９５の上端部近傍に位置し、右側方垂直羽根部１９ｅの先端部が収納部２５の上端部近傍に位置するように、駆動モータを制御する。このため、調和空気は、垂直羽根１９によって、主吹き出し流路Ｂ、左側吹き出し流路Ｃおよび右側吹き出し流路Ｄに導かれる。したがって、主吹き出し流路Ｂを流れる調和空気は吹出口１５の第１部分１６に至り、左側吹き出し流路Ｃを流れる調和空気は吹出口１５の第２部分１７ａに至り、右側吹き出し流路Ｄを流れる調和空気は吹出口１５の第３部分１７ｂに至る。
【０１１２】
そして、吹出口１５の第１部分１６に至った調和空気は、傾斜している上下風向調整羽根３０の内側面３０ａに沿って室内機１０の下方に向かって吹き出される。
【０１１３】
また、左側吹き出し流路Ｃを流れる調和空気は、収納部９５の第１壁部９６の案内面９６ｃに沿って開放されている吹出口１５の第２部分１７ａから室内機１０の左側方に向かって吹き出される。さらに、右側吹き出し流路Ｄを流れる調和空気は、収納部２５の第１壁部２６の案内面に沿って開放されている吹出口１５の第３部分１７ｂから室内機１０の右側方に向かって吹き出される。
【０１１４】
したがって、空気調和機１において暖房運転が実行されているときに、リモートコントローラ８６を介して空調対象者から風向設定指令のうちの第１指令が為されると、吹出口１５から吹き出される空気の吹き出し方向が、室内機１０の下方および左右両側方に変更される。
【０１１５】
これによって、吹出口１５から吹き出される空気の吹き出し方向が室内機１０の下方および左右両側方となるため、調和空気が、室内空間のうち、主に、第２空間の下部および側方部とに吹き出されることになる。
【０１１６】
また、空気調和機１において室内機１０の風向状態が第１暖房状態である場合の暖房運転が実行されているときに、リモートコントローラ８６を介して空調対象者から風向設定指令のうちの第２指令が為されると、駆動制御部８５は、室内機１０の風向状態が第１暖房状態から三方風向状態となるように、第１移動機構５０および第２移動機構２９，９９を制御する。具体的には、駆動制御部８５は、上下風向調整羽根３０の状態が第３開状態から第１開状態に切り換わるように迫り出し機構駆動用モータ５４，６４および角度調整機構駆動用モータ７３を制御するとともに、側方遮蔽部材２０，９０の状態が閉状態から開状態に切り換わるように第２移動機構駆動用モータ２４，９４を制御する。このため、吹出口１５の第１部分１６、第２部分１７ａおよび第３部分１７ｂが開放される。
【０１１７】
また、このとき、制御部８４は、垂直羽根１９の主垂直羽根部１９ｃが室内機ケーシング１２の長手方向に対して垂直な状態で止まるように、駆動モータを制御する。また、制御部８４は、左側方垂直羽根部１９ｄの先端部が収納部９５の上端部近傍に位置し、右側方垂直羽根部１９ｅの先端部が収納部２５の上端部近傍に位置するように、駆動モータを制御する。このため、調和空気は、垂直羽根１９によって、主吹き出し流路Ｂ、左側吹き出し流路Ｃおよび右側吹き出し流路Ｄに導かれる。したがって、主吹き出し流路Ｂを流れる調和空気は吹出口１５の第１部分１６に至り、左側吹き出し流路Ｃを流れる調和空気は吹出口１５の第２部分１７ａに至り、右側吹き出し流路Ｄを流れる調和空気は吹出口１５の第３部分１７ｂに至る。
【０１１８】
そして、吹出口１５の第１部分１６に至った調和空気は、吹出口１５において第１部分１６に相当する開口面と略平行となるように配置されている上下風向調整羽根３０の内側面３０ａに沿って室内機１０の前側上方に吹き出される。
【０１１９】
また、左側吹き出し流路Ｃを流れる調和空気は、収納部９５の第１壁部９６の案内面９６ｃに沿って開放されている吹出口１５の第２部分１７ａから室内機１０の左側方に向かって吹き出される。さらに、右側吹き出し流路Ｄを流れる調和空気は、収納部２５の第１壁部２６の案内面に沿って開放されている吹出口１５の第３部分１７ｂから室内機１０の右側方に向かって吹き出される。
【０１２０】
したがって、空気調和機１において暖房運転が実行されているときに、リモートコントローラ８６を介して空調対象者から風向設定指令のうちの第２指令が為されると、吹出口１５から吹き出される空気の吹き出し方向が、室内機１０の前側上方および左右両側方に変更される。
【０１２１】
これによって、吹出口１５から吹き出される空気の吹き出し方向が室内機１０の前側上方および左右両側方となるため、調和空気が、室内空間のうち、主に、第１空間の上部および第２空間の側方部に吹き出されることになる。
【０１２２】
また、空気調和機１において暖房運転または冷房運転が実行されている状態で、空調対象者からリモートコントローラ８６を介して運転停止指令が為されると、駆動制御部８５は、室内機１０の風向状態が運転停止状態となるように、第１移動機構５０および／または第２移動機構２９，９９を制御する。具体的には、上下風向調整羽根３０の状態が第１開状態、第２開状態または第３開状態である場合には、駆動制御部８５は、迫り出し機構駆動用モータ５４，６４および角度調整機構駆動用モータ７３を駆動することで、上下風向調整羽根３０の状態を第１開状態、第２開状態または第３開状態から閉状態に切り換える。
【０１２３】
また、空調対象者からリモートコントローラ８６を介して運転停止指令が為されたときに、側方遮蔽部材２０，９０が開状態である場合には、駆動制御部８５は、側方遮蔽部材２０，９０の状態が開状態から閉状態に切り換わるように、第２移動機構駆動用モータ２４，９４を制御する。このため、吹出口１５の第１部分１６に上下風向調整羽根３０が位置し、吹出口１５の第２部分１７ａおよび第３部分１７ｂに側方遮蔽部材２０，９０が位置する状態、すなわち、吹出口１５における第１部分１６、第２部分１７ａおよび第３部分１７ｂに相当する開口面が遮蔽された状態となる。
【０１２４】
このように、本実施形態では、上下風向調整羽根３０と、上下風向調整羽根３０とは独立して移動可能な側方遮蔽部材２０，９０とによって、種々の吹き出し方向を採ることができる。なお、本実施形態では、室内機１０が採ることが可能な風向状態を、運転停止状態、第１冷房状態、第２冷房状態、第１暖房状態、第２暖房状態、および、三方風向状態としているが、これに限定されず、上下風向調整羽根３０の状態および側方遮蔽部材２０，９０の状態の組み合わせによって室内機１０が他の風向状態を採ってもよい。
【０１２５】
＜特徴＞
（１）
上記実施形態では、第２移動機構２９，９９によって、吹出口１５近傍の空間Ｓ１の側面側が覆われている状態から吹出口１５近傍の空間Ｓ１の側面側が開放されている状態となるように、側方遮蔽部材２０，９０が移動される。このため、吹出口１５近傍の空間の側面側を遮蔽したり開放したりすることができる。したがって、必要に応じて室内機１０の側方に向かって空気を吹き出すことができる。
【０１２６】
これによって、側方に向かう空気の吹き出しを調整することができている。
【０１２７】
（２）
上記実施形態では、第２移動機構２９，９９によって、側方遮蔽部材２０，９０が回転軸を中心に移動される。このため、側方遮蔽部材２０，９０が円弧を描くように移動することで、吹出口１５の第２部分１７ａおよび第３部分１７ｂを遮蔽したり開放したりすることができている。
【０１２８】
（３）
上記実施形態では、側方遮蔽部材２０，９０が開状態である場合に側方遮蔽部材２０，９０を収納するための収納部２５，９５を備えている。このため、開状態である側方遮蔽部材２０，９０を収納することができる。
【０１２９】
また、収納部２５，９５は、開状態である側方遮蔽部材２０，９０が収納される収納空間を形成する第１壁部２６，９６と第２壁部２７，９７とを有している。第１壁部２６，９６は第１壁部２６，９６の上端部が、第１壁部２６，９６の下端部よりも室内機本体１１の中央側に近くなるように傾斜して配置されている。このため、垂直羽根１９によって左側吹き出し流路Ｃおよび右側吹き出し流路Ｄの各入口に導かれた調和空気は、第１壁部２６，９６の案内面に規制されて、左側吹き出し流路Ｃおよび右側吹き出し流路Ｄを流れて、左側吹き出し流路Ｃおよび右側吹き出し流路Ｄの各出口から吹き出される。また、左側吹き出し流路Ｃおよび右側吹き出し流路Ｄの出口は、室内機１０の側方に向かってに開口しているため、左側吹き出し流路Ｃおよび右側吹き出し流路Ｄの出口から吹き出される空気は室内機１０の左右両側方側に向けて流れることになる。
【０１３０】
これによって、室内機１０の側方に向かう空気流を形成することができている。
【０１３１】
（４）
上記実施形態では、上下風向調整羽根３０の状態が第１開状態、第２開状態、または、第３開状態に切り換わった後に、側方遮蔽部材２０，９０が閉状態から開状態に切り換えられている。言い換えると、吹出口１５の第１部分１６が開放された後に、側方遮蔽部材２０，９０が閉状態から開状態に切り換えられている。すなわち、吹出口１５の第１部分１６の一部を利用して側方遮蔽部材２０，９０の状態が切り換えられている。このため、側方遮蔽部材２０，９０が上下風向調整羽根３０に干渉するおそれを減らすことができている。
【０１３２】
（５）
上記実施形態では、側方遮蔽部材２０，９０が閉状態である場合には、側方遮蔽部材２０，９０の外側面と室内機ケーシング１２の外側面とが略一面状となるように構成されている。また、上下風向調整羽根３０および側方遮蔽部材２０，９０が閉状態である場合には、側方遮蔽部材２０，９０において吹出口１５近傍の空間Ｓ１の正面側を覆っている部分の外側面と上下風向調整羽根３０の外側面３０ｂとが略一面状に配置されている。このため、室内機１０の外観を損なうおそれを減らすことができる。
【０１３３】
これによって、意匠性を向上させることができている。
【０１３４】
＜変形例＞
（Ａ）
上記実施形態では、吹出口１５が、室内機ケーシング１２の底面から両側面にかけて連続して形成されている。言い換えると、吹出口１５は、連続した１つの開口である。
【０１３５】
これに代えて、吹出口において、上下風向調整羽根によって覆われる部分と側方遮蔽部材によって覆われる部分とが仕切られていてもよい。
【０１３６】
例えば、図１５に示すように、吹出口として、１つの中央吹出口１１６と、２つの側方吹出口１１７とが形成されている場合について説明する。なお、図１５には、側方吹出口１１７のうち、室内機１１０の正面視において、左側に位置する側方吹出口１１７のみを示している。
【０１３７】
室内機ケーシング１１２には、中央吹出口１１６と側方吹出口１１７とが形成されている。中央吹出口１１６は、図１５に示すように、室内機ケーシング１１２の底面に配置されており、室内機１１０の長手方向に対して平行に設けられている。側方吹出口１１７は、室内機ケーシング１１２の左右両側に形成されている。具体的には、側方吹出口１１７は、室内機ケーシング１２の底面から側面にかけて配置されている（図１５参照）。また、側方吹出口１１７と中央吹出口１１６との境界部分には、仕切部１１２ａが設けられている。
【０１３８】
仕切部１１２ａは、室内機１１０の底面視において視認可能な化粧パネルである。また、本変形例では、仕切部１１２ａは、室内機ケーシング１１２と一体的に形成されている。
【０１３９】
上下風向調整羽根１３０は、中央吹出口１１６の面積と略同一の面積を有する略長方形状の板状の部材である。なお、上下風向調整羽根１３０の構成および上下風向調整羽根１３０を移動させるための移動機構は、上記実施形態と同様の構成であるため、説明を省略する。
【０１４０】
側方遮蔽部材１９０は、室内機１１０の両側に配置される側方吹出口１１７近傍に配置されており、側方吹出口１１７をそれぞれ覆うことが可能である。また、側方遮蔽部材１９０は、室内機１１０の下方の角部に沿った湾曲した形状を呈する底面部１９０ａと、底面部１９０ａの両端から立設する側面部１９０ｂ，１９０ｃとから構成されている。なお、側方遮蔽部材１９０が側方吹出口１１７を覆うように配置されている場合には、室内機１１０の外側からは、底面部１９０ａのみ視認可能である。言い換えると、側方遮蔽部材１９０の底面部１９０ａが、上記実施形態における側方遮蔽部材９０に相当する。
【０１４１】
第２移動機構は、第２移動機構駆動用モータと、支持部材と、空間仕切部１９５とを備えている。なお、第２移動機構において、第２移動機構駆動用モータおよび支持部材の構成は、上記実施形態と同様の構成であるため、説明を省略する。また、本変形例において、第２移動機構は、上記実施形態の収納部２５，９５に相当する部材を備えていないものとする。
【０１４２】
空間仕切部１９５は、図１５に示すように、仕切部１１２ａの中央吹出口１１６に近い側の端部から上方に延びるように設けられている。このため、吹き出し流路は、空間仕切部１９５によって３つの流路に分けられる。なお、仕切部１１２ａと空間仕切部１９５とは、別部材であっても一体的に形成されていてもよい。
【０１４３】
このような構成によって、上下風向調整羽根１３０が中央吹出口１１６を開放するように配置されており、側方遮蔽部材１９０が側方吹出口１１７を覆うように配置されている場合に、室内ファンによって空気流が生成された場合には、図１５（ｂ）に示すように、調和空気は、空間仕切部１９５の第１面１９５ａに沿って中央吹出口１１６に至る。そして、中央吹出口１１６に至った調和空気は、上下風向調整羽根１３０の状態に伴って、風向が調整される。
【０１４４】
また、上下風向調整羽根１３０が中央吹出口１１６を開放するように配置されており、側方遮蔽部材１９０が側方吹出口１１７を開放するように配置されている場合に、室内ファンによって空気流が生成された場合には、図１５（ｃ）に示すように、調和空気が、空間仕切部１９５の第１面１９５ａに沿って中央吹出口１１６に至ったり、空間仕切部１９５の第２面１９５ｂ、仕切部１１２ａの内側面１１２ｂおよび側面部１９０ｂ，１９０ｃに沿って側方吹出口１１７に至ったりする。このとき、中央吹出口１１６に至った調和空気は、上下風向調整羽根１３０の状態に伴って、風向が調整される。また、側方吹出口１１７に至った調和空気は、空間仕切部１９５の第２面１９５ｂ、仕切部１１２ａの内側面１１２ｂおよび側面部１９０ｂ，１９０ｃによってその流れが規制されているため、室内機の側方に吹き出される。
【０１４５】
また、上記変形例の室内機１１０において、側方遮蔽部材の構成が底面部のみの構成であってもよい。言い換えると、上記変形例の側方遮蔽部材１９０において、側面部１９０ｂ，１９０ｃが設けられていないような構成であってもよい。すなわち、側方遮蔽部材の構成が、上記実施形態における側方遮蔽部材９０と同様の構成であってもよい。また、側方遮蔽部材が側面部を含まない構成の場合には、図１６に示すように、側方遮蔽部材１９１の内側に正面遮蔽部材１９６が配置されていてもよい。なお、以下に説明する変形例において、側方遮蔽部材１９１および正面遮蔽部材１９６以外の構成は、上記変形例と同様の構成であるため、図１６では、側方遮蔽部材１９１および正面遮蔽部材１９６以外の各構成部材については上記変形例と同様の符号を付している。
【０１４６】
側方遮蔽部材１９１は、室内機１１０の両側に配置される側方吹出口１１７近傍に配置されており、側方吹出口１１７をそれぞれ覆うことが可能である。なお、図１６では、室内機１１０の左側に配置されている側方遮蔽部材１９１のみを示している。また、側方遮蔽部材１９１は、室内機１１０の下方の角部に沿った湾曲した形状を呈している。
【０１４７】
正面遮蔽部材１９６は、閉状態を採っている側方遮蔽部材１９１の内側面に対向するように室内機ケーシング１１２に設けられている。また、正面遮蔽部材１９６は、側方遮蔽部材１９１の状態が開状態である場合に、室内機１１０の正面視において側方吹出口１１７が視認されにくくなるように設けられている。このため、側方遮蔽部材１９１の状態が開状態である場合に側方吹出口１１７が空調対象者から視認されにくいため、室内機１１０の意匠性を損なうおそれを減らすことができる。
【０１４８】
また、図１６に示す変形例の構成に加えて、図１７に示すように、室内機ケーシング１１２に風向制御板１９７が設けられていてもよい。なお、図１７において、風向制御板１９７以外の構成は、図１６に示す変形例の構成と同様であるため、風向制御板１９７以外の各構成部材については上記変形例と同様の符号を付している。
【０１４９】
風向制御板１９７は、図１７に示すように、調和空気の風向を規制するために、正面遮蔽部材１９６と対向するように配置されている。具体的には、調和空気が風向制御板１９７の表面に接触することで、調和空気の風向が規制される。このように、風向調整板１９７を設けることで、室内機１１０の側方に向かう空気流を形成しやすくすることができる。
【０１５０】
また、上記変形例において、仕切部１１２ａが設けられておらず、空間仕切部１９５が設けられているような構成であってもよい。ここで、説明の便宜上、吹出口１１５において、上下風向調整羽根１３０によって覆われる部分を第１部分１１６ａといい、側方遮蔽部材１９０によって覆われる部分を第２部分１１７ａという。
【０１５１】
例えば、図１８に示すように、空間仕切部１９５が吹出口１１５の近傍の空間に配置されている室内機１１０であって、上下風向調整羽根１３０が吹出口１１５の第１部分１１６ａを開放するように配置されており、側方遮蔽部材１９０が吹出口１１５の第２部分１１７ａを覆うように配置されている時に、室内ファンによって空気流が生成された場合には、図１８（ｂ）に示すように、調和空気は、空間仕切部１９５の第１面１９５ａに沿って吹出口１１５の第１部分１１６ａに至る。そして、吹出口１１５の第１部分１１６ａに至った調和空気は、上下風向調整羽根１３０の状態に伴って、風向が調整される。
【０１５２】
また、上下風向調整羽根１３０が吹出口１１５の第１部分１１６ａを開放するように配置されており、側方遮蔽部材１９０が吹出口１１５の第２部分１１７ａを開放するように配置されている場合に、室内ファンによって空気流が生成された場合には、図１８（ｃ）に示すように、調和空気が、空間仕切部１９５の第１面１９５ａに沿って吹出口１１５の第１部分１１６ａに至ったり、空間仕切部１９５の第２面１９５ｂおよび側面部１９０ｂ，１９０ｃに沿って吹出口１１５の第２部分１１７ａに至ったりする。このとき、吹出口１１５の第１部分１１６ａに至った調和空気は、上下風向調整羽根１３０の状態に伴って、風向が調整される。また、吹出口１１５の第２部分１１７ａに至った調和空気は、空間仕切部１９５の第２面１９５ｂおよび側面部１９０ｂ，１９０ｃによってその流れが規制されているため、室内機の側方に吹き出される。
【０１５３】
なお、図１８では、上記変形例において仕切部１１２ａが設けられていないこと以外は上記変形例と同様の構成であるため、各構成部材について同様の符号を付している。また、ここでは空間仕切部１９５は室内機ケーシング１１２に固定されているものとする。
【０１５４】
（Ｂ）
上記実施形態では、収納部２５，９５の上端部が連続した構成となっており、開状態である側方遮蔽部材２０，９０が収納される収納空間が形成されている。
【０１５５】
これに代えて、図１９に示すように、収納部２９５の第２壁部２９７の上端部２９７ａと第１壁部２９６の上端部２９６ａとが連続していなくてもよい。また、収納部２９５がこのような構成である場合には、図２０に示すように、側方遮蔽部材２９０の端部が上方に延びるように構成されていてもよい。なお、図１９および図２０に示す変形例の室内機２１０では、側方遮蔽部材２９０および収納部２９５の構成以外は、上記実施形態における室内機１０の構成と同様の構成であるため、側方遮蔽部材２９０および収納部２９５以外の構成については上記実施形態と同様の符号を付してその説明を省略する。
【０１５６】
収納部２９５は、図１９および図２０に示すように、第１壁部２９６と、第２壁部２９７とを有する。第１壁部２９６は、吹出口１５の第２部分１７ａ近傍から上方に延びている。また、第１壁部２９６は側方遮蔽部材２９０に対応可能なように湾曲した形状を呈しており、第１壁部２９６の上端部２９６ａが、第１壁部２９６の下端部２９６ｂよりも室内機本体１１の中央側に近くなるように配置される。さらに、第１壁部２９６近傍には、第２移動機構の備える側方遮蔽部材駆動用モータの有する回転軸２９４ａが配置されている。
【０１５７】
また、第２壁部２９７は、吹出口１５の第１部分１６と吹出口１５の第２部分１７ａとの境界近傍から上方に延びている。また、第２壁部２９７は、側方遮蔽部材２９０に対応可能なように湾曲した形状を呈しており、第２壁部２９７の上端部２９７ａが、第２壁部２９７の下端部２９７ｂよりも室内機本体１１の中央側に近くなるように配置される。このため、第２壁部２９７は、第１壁部２９６よりも室内機１０の中央側に配置されている。また、第２壁部２９７の上端部２９７ａと第１壁部２９６の上端部２９６ａとは離れた位置に配置されている。なお、ここでは、第１壁部２９６と第２壁部２９７との間の空間を収納空間とする。
【０１５８】
側方遮蔽部材２９０は、室内機２１０の下部の角部に沿った湾曲した形状を有する第１部２９１と、第１部２９１から上方に延びる第２部２９２とを有する。第１部２９１は、図２０に示すように、吹出口１５の第２部分１７ａを覆うことが可能である。また、第１部２９１は、側方遮蔽部材２９０が吹出口１５の第２部分１７ａを覆うように配置されている場合に、室内機１０の外側から視認可能な部分である。言い換えると、側方遮蔽部材２９０の第１部２９１が、上記実施形態における側方遮蔽部材９０に相当する。第２部２９２は、第１部２９１から連続して形成されており、側方遮蔽部材２９０の状態が閉状態である場合でもその一部が収納空間に収納されるように構成されている。具体的には、第２部２９２の端部２９２ａ、すなわち、側方遮蔽部材２９０の上部が、側方遮蔽部材２９０の状態が閉状態または開状態の場合であっても、常に収納空間内に位置するように構成されている。
【０１５９】
このような構成によって、この室内機２１０では、上下風向調整羽根３０が吹出口１５の第１部分１６を開放するように配置されており、側方遮蔽部材２９０が吹出口１５の第２部分を遮蔽するように配置されている状態で、室内ファンによって空気流が生成された場合には、調和空気は、第２壁部２９７の壁面に沿って吹出口１５の第１部分１６に導かれる（図２０（ｂ）参照）。そして、吹出口１５の第１部分１６に至った空気は、上下風向調整羽根３０の状態に伴って風向が調整される。
【０１６０】
また、上下風向調整羽根３０が吹出口１５の第１部分１６を開放するように配置されており、側方遮蔽部材２９０が吹出口１５の第２部分１７ａを開放するように配置されている状態で、室内ファンによって空気流が生成された場合には、調和空気は、第２壁部２９７の壁面に沿って吹出口１５の第１部分１６に導かれたり、第１壁部２９６の外側面に沿って吹出口１５の第２部分１７ａに導かれたりする（図２０（ｃ）参照）。このとき、吹出口１５の第１部分１６に至った空気は、上下風向調整羽根３０の状態に伴って風向が調整される。また、吹出口１５の第１部分１６に至った空気は、第１壁部２９６の外側面によってその流れが規制されているため、室内機２１０の側方に吹き出される。したがって、室内機２１０の側方に向かって空気を吹き出すことができる。
【０１６１】
これによって、側方に向かう空気の吹き出しを調整することができる。
【０１６２】
また、上記変形例の室内機２１０において、側方遮蔽部材の構成が、上記実施形態の側方遮蔽部材９０の構成と同様の構成であってもよい。言い換えると、側方遮蔽部材が、上記変形例における第１部２９１のみによって構成されていてもよい。図２１に示すように、側方遮蔽部材３９０が上記実施形態の側方遮蔽部材９０と同様の構成である場合には、上下風向調整羽根３０が吹出口１５の第１部分１６を開放するように配置されており、側方遮蔽部材３９０が吹出口１５の第２部分を遮蔽するように配置されている状態で、室内ファンによって空気流が生成された場合には、調和空気は、第２壁部２９７の壁面に沿って吹出口１５の第１部分１６に導かれる（図２１（ｂ）参照）。そして、吹出口１５の第１部分１６に至った空気は、上下風向調整羽根３０の状態に伴って風向が調整される。
【０１６３】
また、上下風向調整羽根３０が吹出口１５の第１部分１６を開放するように配置されており、側方遮蔽部材３９０が吹出口１５の第２部分１７ａを開放するように配置されている状態で、室内ファンによって空気流が生成された場合には、調和空気は、第２壁部２９７の壁面に沿って吹出口１５の第１部分１６に導かれたり、第１壁部２９６の外側面に沿って吹出口１５の第２部分１７ａに導かれたりする（図２１（ｃ）参照）。このとき、吹出口１５の第１部分１６に至った空気は、上下風向調整羽根３０の状態に伴って風向が調整される。また、吹出口１５の第１部分１６に至った空気は、第１壁部２９６の外側面によってその流れが規制されているため、室内機３１０の側方に吹き出される。したがって、室内機３１０の側方に向かって空気を吹き出すことができる。
【０１６４】
これによって、側方に向かう空気の吹き出しを調整することができる。
【０１６５】
（Ｃ）
上記実施形態では、左側方遮蔽部材９０が、室内機１０の正面視において、回転軸を中心に反時計回りに回転移動することで、吹出口１５の第２部分１７ａが開放されている。
【０１６６】
これに代えて、左側方遮蔽部材が、室内機の正面視において、回転軸を中心に時計回りに回転移動することで、吹出口の第２部分が開放されてもよい。
【０１６７】
（Ｄ）
上記実施形態では、第１移動機構５０は、迫り出し機構５１，６１と角度調整機構７１とを有しており、迫り出し機構５１，６１によって上下風向調整羽根３０が迫り出されるように移動され、また、角度調整機構７１によって上下風向調整羽根３０の吹出口に対する角度が調整されている。
【０１６８】
これに代えて、第１移動機構が、室内機の長手方向に平行な回転軸を有しており、前記回転軸を中心に、上下風向調整羽根を回動させるような機構であってもよい。
【０１６９】
−参考例−
図２２は、空気調和機４１０の備える室内機４１０の外観斜視図である。図２３（ａ）は、室内機４１０の風向状態が第１暖房状態である場合を示す室内機４１０の外観斜視図である。図２３（ｂ）は、室内機４１０の風向状態が第２暖房状態である場合を示す室内機４１０の外観斜視図である。図２４（ａ）は、室内機４１０の風向状態が第２冷房状態である場合を示す室内機４１０の外観斜視図である。図２４（ｂ）は、室内機４１０の風向状態が三方風向状態である場合を示す室内機４１０の外観斜視図である。
【０１７０】
本発明の参考例に係る空気調和機４０１について説明する。なお、この空気調和機４０１の構成において、室内機４１０以外の構成は第１実施形態と同様の構成であるため、説明を省略する。
【０１７１】
室内機４１０は、室内の壁面等に取り付けられる壁掛け型の室内機である。また、室内機４１０は、主として、室内機本体４１１と、上下風向調整羽根４３０と、第１移動機構４５０（図２５参照）と、第２移動機構４９９（図２５参照）と、を備えている。なお、上下風向調整羽根４３０および第１移動機構４５０の構成は、第１実施形態と同様の構成であるため説明を省略する。
【０１７２】
＜室内機本体の構成＞
室内機本体４１１は、主に、室内機ケーシング４１２と、室内熱交換器と、室内ファン４１４と、垂直羽根４１９とを備えている。また、室内機本体４１１において、室内熱交換器、室内ファン４１４および垂直羽根４１９の構成は、第１実施形態と同様の構成であるため、ここでは説明を省略する。
【０１７３】
室内機ケーシング４１２は、ケーシング本体４１２ａと、前面パネル４１３とを有している。ケーシング本体４１２ａは、水平方向に長い略直方形状の部材である。また、ケーシング本体４１２ａには、室内熱交換器、室内ファン４１４、および、垂直羽根４１９等が収納されている。さらに、ケーシング本体４１２ａには、取込口（図示せず）と、吹出口４１５とが形成されている。取込口は、室内の空気を室内機ケーシング４１２の内側に取り込むための開口であって、ケーシング本体４１２ａの上部に形成されている。
【０１７４】
また、吹出口４１５は、室内機本体４１１内で調和された空気を吹き出すための開口であって、室内機４１０の下部近傍に形成されている。具体的には、吹出口４１５は、ケーシング本体４１２ａの底面から両側面にかけて連続して形成されている。このため、吹出口４１５は、室内機４１０の側面視において、その一部を視認可能である。
【０１７５】
前面パネル４１３は、前部４１３ａと、前部４１３ａの両端部から室内機本体４１１の後方向に延びる側部４１３ｂとを含む。前部４１３ａは、ケーシング本体４１２ａの前側の略全部を覆うことが可能である。側部４１３ｂは、ケーシング本体４１２ａの両側面の一部を覆うことが可能である。また、側部４１３ｂは、吹出口４１５においてケーシング本体４１２ａの側面側に位置する開口部分を（以下、側方開口部４１７という）を覆うことができる。
【０１７６】
また、前面パネル４１３は、２つの状態（閉状態および開状態）を採ることができる。
【０１７７】
前面パネル４１３が閉状態の場合には、図２２および図２３（ａ）に示すように、前面パネル４１３の側部４１３ｂが側方開口部４１７を覆うように配置される。
【０１７８】
また、前面パネル４１３が開状態の場合には、図２３（ｂ）および図２４に示すように、前面パネル４１３の側部４１３ｂが側方開口部４１７を開放するように配置される。具体的には、前面パネル４１３が開状態の場合には、前面パネル４１３が閉状態である場合の前面パネル４１３の位置と比較して、ケーシング本体４１２ａに対して上方に配置されている。
【０１７９】
＜第２移動機構の構成＞
第２移動機構４９９は、第１移動機構４５０とは別の移動機構であって、吹出口４１５近傍の空間の側面側が覆われている状態から吹出口４１５近傍の空間の側面側が開放されている状態となるように、前面パネル４１３を移動させることが可能な機構である。言い換えると、第２移動機構４９９は、前面パネル４１３の状態を切り換えるために、前面パネル４１３を室内機本体４１１に対して上下方向にスライド移動させることが可能である。
【０１８０】
第２移動機構４９９は、室内機ケーシング４１２の内部に配置されている。また、第２移動機構４９９は、ラックアンドピニオン機構であって、駆動部の駆動力によって前面パネル４１３を移動させることで、側方開口部４１７を開閉する。このため、第２移動機構は、駆動部から伝わる回転運動を側方開口部４１７の開閉動作、すなわち、前面パネル４１３の上下方向の直線運動に変換する変換機構として機能する。なお、本参考例では、第２移動機構４９９をラックアンドピニオン機構としているが、前面パネル４１３を上下方向にスライド移動させることができれば第２移動機構がリンク機構等の別の機構であってもよい。
【０１８１】
次に、第１移動機構４５０および第２移動機構４９９の駆動を制御する制御部４８４について説明する。
【０１８２】
＜制御部＞
図２５は、空気調和機の備える制御部４８４の制御ブロック図である。また、以下より、説明の便宜上、吹出口４１５において、側方開口部４１７以外の開口部分、すなわち、上下風向調整羽根４３０によって覆われる部分を中央開口部４１６という。
【０１８３】
制御部４８４は、室内機４１０および室外機４０２の各種機器と接続されており、リモートコントローラ４８６を介した空調対象者からの運転指令に基づいて、冷房運転や暖房運転等の各運転モードに応じた各種機器の運転制御を行うことができる。
【０１８４】
また、リモートコントローラ４８６には、運転停止ボタンや風向設定ボタン４８６ａ等の複数のスイッチが設けられている。運転停止ボタンは、空調対象者が空気調和機１の運転を停止させるときに操作されるスイッチである。また、風向設定ボタン４８６ａは、空調対象者が室内機４１０から吹き出される空気の吹き出し方向を設定するときに操作されるスイッチである。例えば、空調対象者によって風向設定ボタン４８６ａが押されると、制御部４８４は空調対象者からの風向設定指令を制御信号として受信する。なお、本参考例における風向設定指令には、調和空気が主に室内機４１０の前側下方および側方に吹き出すように空気の吹き出し方向を設定するための指令である第１指令と、調和空気が主に室内機４１０の前側上方および側方に吹き出すように空気の吹き出し方向を設定するための指令である第２指令とが含まれる。
【０１８５】
また、制御部４８４は、上下風向調整羽根４３０および前面パネル４１３の状態を切り換えるための駆動制御部４８５を有する。駆動制御部４８５は、２つの迫り出し機構駆動用モータ４５４，４６４、角度調整機構駆動用モータ４７３および駆動部の駆動モータ４９４の回転数および回転方向を制御することで、上下風向調整羽根４３０および前面パネル４１３の状態を切り換える。このため、制御部４８４は、各運転モードあるいは空調対象者からの風向設定指令に応じて、室内機４１０の風向状態を変更することができる。また、本参考例では、室内機４１０は、運転停止状態、第１冷房状態、第２冷房状態、第１暖房状態、第２暖房状態、および、三方風向状態の６つの風向状態を採ることが可能である。
【０１８６】
なお、室内機４１０の風向状態が運転停止状態である場合、上下風向調整羽根４３０および前面パネル４１３は、いずれも閉状態を採っている。また、室内機４１０の風向状態が第１冷房状態である場合、上下風向調整羽根４３０は第２開状態を採っており、前面パネル４１３は閉状態を採っている。室内機４１０の風向状態が第２冷房状態である場合、上下風向調整羽根４３０は第２開状態を採っており、前面パネル４１３は開状態を採っている。室内機４１０の風向状態が第１暖房状態である場合、上下風向調整羽根４３０は第３開状態を採っており、前面パネル４１３は閉状態を採っている。室内機４１０の風向状態が第２暖房状態である場合、上下風向調整羽根４３０は第３開状態を採っており、前面パネル４１３は開状態を採っている。室内機４１０の風向状態が三方風向状態である場合、上下風向調整羽根４３０は第１開状態を採っており、前面パネル４１３は開状態を採っている。
【０１８７】
例えば、空気調和機１の運転が停止している状態、すなわち、室内機４１０の風向状態が運転停止状態である場合に、空調対象者からリモートコントローラ４８６を介して冷房運転の開始指令が為されると、駆動制御部４８５は、室内機４１０の風向状態が第１冷房風向状態となるように、第１移動機構４５０を制御する。具体的には、駆動制御部４８５は、上下風向調整羽根４３０の状態が閉状態から第２開状態に切り換わるように、迫り出し機構駆動用モータ４５４，４６４および角度調整機構駆動用モータ４７３を制御する。なお、このとき、駆動制御部４８５は駆動モータ４９４を駆動させる制御を行わないため、前面パネル４１３は、側方開口部４１７を覆うように位置しており、吹出口４１５における側方開口部４１７に相当する開口面が遮蔽された状態が維持される。このため、吹出口４１５の中央開口部４１６のみが開放される。
【０１８８】
また、このとき、制御部４８４は、垂直羽根４１９が室内機ケーシング４１２の長手方向に対して垂直な状態で止まるように、駆動モータを制御する。
【０１８９】
このため、空気調和機の運転が停止している状態で、空調対象者からリモートコントローラ４８６を介して冷房運転の開始指令が為されて、室内ファン４１４によって空気流が生成されると、調和空気が、主吹き出し流路を流れて吹出口４１５の中央開口部４１６に至る。そして、吹出口４１５の中央開口部４１６に至った調和空気は、傾斜している上下風向調整羽根４３０の内側面３０ａに沿って室内機４１０の前側下方に吹き出される。
【０１９０】
これによって、吹出口４１５から吹き出される空気の吹き出し方向が室内機４１０の前側下方となるため、室内空間を上部と下部とに分けた場合には、調和空気が室内空間の主に下部に吹き出されることになる。
【０１９１】
また、空気調和機において室内機４１０の風向状態が第１冷房状態である冷房運転が実行されているときに、リモートコントローラ４８６を介して空調対象者から風向設定指令のうちの第１指令が為されると、駆動制御部４８５は、室内機４１０の風向状態が第１冷房状態から第２冷房風向状態となるように、第２移動機構４９９を制御する。具体的には、駆動制御部４８５は、前面パネル４１３の状態が閉状態から開状態に切り換わるように、駆動モータ４９４を制御する。なお、このとき、上下風向調整羽根４３０の状態は、第２開状態が維持される。このため、吹出口４１５の中央開口部４１６、側方開口部４１７が開放される。
【０１９２】
また、このとき、制御部４８４は、垂直羽根４１９の主垂直羽根部が室内機ケーシング４１２の長手方向に対して垂直な状態で止まるように、駆動モータを制御する。また、制御部４８４は、側方垂直羽根部の先端部が各側方開口部４１７に向むかって傾斜するように、駆動モータを制御する。このため、調和空気が中央開口部４１６および側方開口部４１７に導かれる。
【０１９３】
そして、中央開口部４１６に至った調和空気は、傾斜している上下風向調整羽根４３０の内側面３０ａに沿って室内機４１０の前側下方に向かって吹き出される。
【０１９４】
また、側方開口部４１７に導かれた調和空気は、室内機４１０の左右両側方に向かって吹き出される。
【０１９５】
したがって、空気調和機において冷房運転が実行されているときに、リモートコントローラ４８６を介して空調対象者から風向設定指令のうちの第１指令が為されると、吹出口４１５から吹き出される空気の吹き出し方向が、室内機４１０の前側下方および左右両側方に変更される（図２４（ａ）参照）。
【０１９６】
これによって、吹出口４１５から吹き出される空気の吹き出し方向が室内機４１０の前側下方および左右両側方となるため、室内空間において室内機４１０の両側方の空間を特に側方空間とした場合、調和空気が室内空間の下部および側方空間に吹き出されることになる。
【０１９７】
また、空気調和機において室内機４１０の風向状態が第１冷房状態である冷房運転が実行されているときに、リモートコントローラ４８６を介して空調対象者から風向設定指令のうちの第２指令が為されると、駆動制御部４８５は、室内機４１０の風向状態が第１冷房状態から三方風向状態となるように、第１移動機構４５０および第２移動機構４９９を制御する。具体的には、駆動制御部４８５は、上下風向調整羽根４３０の状態が第２開状態から第１開状態に切り換わるように迫り出し機構駆動用モータ４５４，４６４を制御するとともに、前面パネル４１３の状態が閉状態から開状態に切り換わるように駆動モータ４９４を制御する。このため、中央開口部４１６および側方開口部４１７が開放される。
【０１９８】
また、このとき、制御部４８４は、垂直羽根４１９の主垂直羽根部が室内機ケーシング４１２の長手方向に対して垂直な状態で止まるように、駆動モータを制御する。また、制御部４８４は、側方垂直羽根部の先端部が各側方開口部４１７に向むかって傾斜するように、駆動モータを制御する。このため、調和空気が中央開口部４１６および側方開口部４１７に導かれる。
【０１９９】
そして、吹出口４１５の中央開口部４１６に至った調和空気は、吹出口４１５において中央開口部４１６に相当する開口面と略平行となるように配置されている上下風向調整羽根４３０の内側面３０ａに沿って、室内機４１０の前側上方に吹き出される。
【０２００】
また、側方開口部４１７に導かれた調和空気は、室内機４１０の左右両側方に向かって吹き出される。
【０２０１】
したがって、空気調和機１において冷房運転が実行されているときに、リモートコントローラ４８６を介して空調対象者から風向設定指令のうちの第２指令が為されると、吹出口４１５から吹き出される空気の吹き出し方向が、室内機４１０の前側上方および左右両側方に変更される（図２４（ｂ）参照）。
【０２０２】
これによって、吹出口４１５から吹き出される空気の吹き出し方向が室内機４１０の前側上方および左右両側方となるため、調和空気が室内空間の上部および側方空間に吹き出されることになる。
【０２０３】
また、例えば、空気調和機１の運転が停止している状態で、空調対象者からリモートコントローラ４８６を介して暖房運転の開始指令が為されると、駆動制御部４８５は、室内機４１０の風向状態が第１暖房風向状態となるように、第１移動機構４５０を制御する。具体的には、駆動制御部４８５は、迫り出し機構駆動用モータ４５４，４６４および角度調整機構駆動用モータ４７３を制御することで、上下風向調整羽根４３０の状態を閉状態から第３開状態に切り換える。なお、このとき、駆動制御部４８５は駆動モータ４９４を駆動させる制御を行わないため、前面パネル４１３は側方開口部４１７を覆うように位置しており、吹出口４１５における側方開口部４１７に相当する開口面が遮蔽された状態が維持される。このため、吹出口４１５の中央開口部４１６のみが開放される。
【０２０４】
また、このとき、制御部４８４は、垂直羽根４１９が室内機ケーシング４１２の長手方向に対して垂直な状態で止まるように、駆動モータを制御する。
【０２０５】
このため、空気調和機１の運転が停止している状態で、空調対象者からリモートコントローラ４８６を介して暖房運転の開始指令が為されて、室内ファン４１４によって空気流が生成されると、調和空気が、主吹き出し流路を流れて吹出口４１５の中央開口部４１６に至る。そして、吹出口４１５の中央開口部４１６に至った調和空気は、傾斜している上下風向調整羽根４３０の内側面３０ａに沿って室内機４１０の下方に吹き出される。
【０２０６】
これによって、吹出口４１５から吹き出される空気の吹き出し方向が室内機４１０の下方となるため、室内空間のうち室内機４１０の下側の空間を下方空間とした場合、調和空気が、主に、下方空間に吹き出されることになる（図２３（ａ）参照）。
【０２０７】
また、空気調和機１において室内機４１０の風向状態が第１暖房状態である場合の暖房運転が実行されているときに、リモートコントローラ４８６を介して空調対象者から風向設定指令のうちの第１指令が為されると、駆動制御部４８５は、室内機４１０の風向状態が第１暖房状態から第２暖房風向状態となるように、第２移動機構４９９を制御する。具体的には、駆動制御部４８５は、前面パネル４１３の状態が閉状態から開状態に切り換わるように駆動モータ４９４を制御する。なお、このとき、上下風向調整羽根４３０の状態は、第２開状態が維持される。このため、中央開口部４１６および側方開口部４１７が開放される。
【０２０８】
また、このとき、制御部４８４は、垂直羽根４１９の主垂直羽根部が室内機ケーシング４１２の長手方向に対して垂直な状態で止まるように、駆動モータを制御する。また、制御部４８４は、側方垂直羽根部の先端部が各側方開口部４１７に向むかって傾斜するように、駆動モータを制御する。このため、調和空気が中央開口部４１６および側方開口部４１７に導かれる。
【０２０９】
そして、中央開口部４１６に至った調和空気は、傾斜している上下風向調整羽根４３０の内側面３０ａに沿って室内機４１０の下方に向かって吹き出される。
【０２１０】
また、側方開口部４１７に導かれた調和空気は、室内機４１０の左右両側方に向かって吹き出される。
【０２１１】
したがって、空気調和機において暖房運転が実行されているときに、リモートコントローラ４８６を介して空調対象者から風向設定指令のうちの第１指令が為されると、吹出口４１５から吹き出される空気の吹き出し方向が、室内機４１０の下方および左右両側方に変更される（図２３（ｂ）参照）。
【０２１２】
これによって、吹出口４１５から吹き出される空気の吹き出し方向が室内機４１０の下方および左右両側方となるため、調和空気が主に下方空間および側方空間に吹き出されることになる。
【０２１３】
また、空気調和機１において室内機４１０の風向状態が第１暖房状態である場合の暖房運転が実行されているときに、リモートコントローラ４８６を介して空調対象者から風向設定指令のうちの第２指令が為されると、駆動制御部４８５は、室内機４１０の風向状態が第１暖房状態から三方風向状態となるように、第１移動機構４５０および第２移動機構４９９を制御する。具体的には、駆動制御部４８５は、上下風向調整羽根４３０の状態が第３開状態から第１開状態に切り換わるように迫り出し機構駆動用モータ４５４，４６４および角度調整機構駆動用モータ４７３を制御するとともに、前面パネル４１３の状態が閉状態から開状態に切り換わるように駆動モータ４９４を制御する。このため、吹出口４１５の中央開口部４１６、側方開口部４１７が開放される。
【０２１４】
また、このとき、制御部４８４は、垂直羽根４１９の主垂直羽根部が室内機ケーシング４１２の長手方向に対して垂直な状態で止まるように、駆動モータを制御する。また、制御部４８４は、側方垂直羽根部の先端部が各側方開口部４１７に向むかって傾斜するように、駆動モータを制御する。このため、調和空気が中央開口部４１６および側方開口部４１７に導かれる。
【０２１５】
そして、吹出口４１５の中央開口部４１６に至った調和空気は、吹出口４１５において中央開口部４１６に相当する開口面と略平行となるように配置されている上下風向調整羽根４３０の内側面３０ａに沿って、室内機４１０の前側上方に吹き出される。
【０２１６】
また、側方開口部４１７に導かれた調和空気は、室内機４１０の左右両側方に向かって吹き出される。
【０２１７】
したがって、空気調和機において暖房運転が実行されているときに、リモートコントローラ４８６を介して空調対象者から風向設定指令のうちの第２指令が為されると、吹出口４１５から吹き出される空気の吹き出し方向が、室内機４１０の前側上方および左右両側方に変更される（図２４（ｂ）参照）。
【０２１８】
これによって、吹出口４１５から吹き出される空気の吹き出し方向が室内機４１０の前側上方および左右両側方となるため、調和空気が室内空間の上部および側方空間に吹き出されることになる。
【０２１９】
また、空気調和機において暖房運転または冷房運転が実行されている状態で、空調対象者からリモートコントローラ４８６を介して運転停止指令が為されると、駆動制御部４８５は、室内機４１０の風向状態が運転停止状態となるように、第１移動機構４５０および／または第２移動機構４９９を制御する。具体的には、上下風向調整羽根４３０の状態が第１開状態、第２開状態または第３開状態である場合には、駆動制御部４８５は、迫り出し機構駆動用モータ４５４，４６４および角度調整機構駆動用モータ４７３を駆動することで、上下風向調整羽根４３０の状態を第１開状態、第２開状態または第３開状態から閉状態に切り換える。
【０２２０】
また、空調対象者からリモートコントローラ４８６を介して運転停止指令が為されたときに、前面パネル４１３が開状態である場合には、駆動制御部４８５は、前面パネル４１３の状態が開状態から閉状態に切り換わるように、駆動モータ４９４を制御する。このため、吹出口４１５の中央開口部４１６に上下風向調整羽根４３０が位置し、吹出口４１５の側方開口部４１７に前面パネル４１３が位置する状態、すなわち、吹出口４１５が遮蔽された状態となる。
【０２２１】
このように、本参考例では、上下風向調整羽根４３０と、上下風向調整羽根４３０とは独立して移動可能な前面パネル４１３とによって、種々の吹き出し方向を採ることができる。
【０２２２】
＜特徴＞
（１）
上記参考例では、第２移動機構４９９によって、吹出口４１５近傍の空間の側面側が覆われている状態から吹出口４１５近傍の空間の側面側が開放されている状態となるように、前面パネル４１３が移動される。このため、吹出口４１５近傍の空間の側面側を遮蔽したり開放したりすることができる。したがって、必要に応じて室内機４１０の側方に向かって空気を吹き出すことができている。
【０２２３】
これによって、側方に向かう空気の吹き出しを調整することができている。
【０２２４】
（２）
上記参考例では、前面パネル４１３が、第２移動機構４９９によってケーシング本体４１２ａに対して上下方向、すなわち、室内機本体４１１に対して上下方向にスライド移動されている。このため、前面パネル４１３をケーシング本体４１２ａに対して上下方向にスライド移動させることで、側方開口部４１７を遮蔽したり開放したりすることができている。
【０２２５】
＜変形例＞
上記参考例では、第２移動機構４９９によって前面パネル４１３全体が上下方向にスライド移動されることで、側方開口部４１７が遮蔽されたり開放されたりしている。
【０２２６】
これに代えて、前面パネルの側部の一部が上下方向にスライド移動することによって側方開口部が遮蔽されたり開放されたりしてもよい。
【０２２７】
例えば、図２６、図２７および図２８に示すように、側部開口部５１７を覆うことが可能な側方遮蔽部材５１３ｃを備える室内機５１０について説明する。なお、本変形例では、前面パネル５１３および第２移動機構の構成以外は、上記参考例と同様であるため、ここでは、前面パネル５１３および第２移動機構についてのみ説明し、前面パネル５１３および第２移動機構以外の部材については説明を省略する。
【０２２８】
＜前面パネルの構成＞
前面パネル５１３は、前部５１３ａと、前部５１３ａの両端部から室内機本体５１１の後方向に延びる側部５１３ｂとを含む。前部５１３ａは、ケーシング本体５１２ａの前側の略全部を覆うことが可能である。
【０２２９】
側部５１３ｂは、側部本体部５１３ｄと側方遮蔽部材５１３ｃとを有しており、ケーシング本体５１２ａの両側面の一部を覆うことが可能である。側部本体部５１３ｄには、図２８に示すように、吹出口５１５においてケーシング本体５１２ａの側面側に位置する開口部分（以下、側方開口部５１７という）近傍に切り欠き部５１３ｅが形成されている。また、側方遮蔽部材５１３ｃは、切り欠き部５１３ｅ近傍に配置される。このため、側方遮蔽部材５１３ｃは、側方開口部５１７を覆うことができる。
【０２３０】
また、前面パネル５１３の側方遮蔽部材５１３ｃは、２つの状態（閉状態および開状態）を採ることができる。
【０２３１】
側方遮蔽部材５１３ｃが閉状態の場合には、図２６および図２７に示すように、側方遮蔽部材５１３ｃが側方開口部５１７を覆うように配置される。
【０２３２】
また、側方遮蔽部材５１３ｃが開状態の場合には、図２８に示すように、側方遮蔽部材５１３ｃは、側方開口部５１７が開放されるように配置されている。具体的には、側方遮蔽部材５１３ｃが開状態の場合には、側方遮蔽部材５１３ｃが閉状態である場合の側方遮蔽部材５１３ｃの位置と比較して、側方遮蔽部材５１３ｃが上方に配置されている。
【０２３３】
＜第２移動機構の構成＞
第２移動機構は、第１移動機構とは別の移動機構であって、側方遮蔽部材５１３ｃをケーシング本体５１２ａに対して左右方向および上下方向にスライド移動させることが可能である。なお、ここでいう左右方向とは、ケーシング本体５１２ａの外側に向かう方向（以下、第１方向という）およびケーシング本体５１２ａの内側に向かう方向（以下、第２方向という）のことである。
【０２３４】
第２移動機構は、室内機ケーシング５１２の内部に配置されている。また、第２移動機構は、ラックアンドピニオン機構であって、駆動部の駆動力によって側方遮蔽部材５１３ｃを移動させることで、側方開口部５１７を開閉する。このため、第２移動機構は、駆動部から伝わる回転運動を側方開口部５１７の開閉動作、すなわち、側方遮蔽部材５１３ｃの左右方向および上下方向の直線運動に変換する変換機構として機能する。なお、本参考例では、第２移動機構をラックアンドピニオン機構としているが、側方遮蔽部材５１３ｃを上下方向および左右方向にスライド移動させることができれば第２移動機構がリンク機構等の別の機構であってもよい。
【０２３５】
側方遮蔽部材５１３ｃの状態を閉状態から開状態に切り換える場合、第２移動機構は、側方遮蔽部材５１３ｃが側部本体部５１３ｄと干渉しないように側方遮蔽部材５１３ｃをケーシング本体５１２ａに対して第１方向に移動させた後に上方向に移動させる。また、側方遮蔽部材５１３ｃの状態を開状態から閉状態に切り換える場合、第２移動機構は、側方遮蔽部材５１３ｃをケーシング本体５１２ａに対して下方向に移動させた後に、第２方向に移動させる。このようにして、第２移動機構は、側方遮蔽部材５１３ｃをスライド移動することで、側方開口部を開閉することができる。
【０２３６】
このような構成によって、この室内機５１０では、上下風向調整羽根５３０が中央開口部５１６を開放するように配置されており、側方遮蔽部材５１３ｃが側方開口部を遮蔽するように配置されている状態で、室内ファンによって空気流が生成された場合には、調和空気は、中央開口部５１６に導かれ、上下風向調整羽根５３０の状態に伴って風向が調整される。
【０２３７】
また、上下風向調整羽根５３０が中央開口部５１６を開放するように配置されており、側方遮蔽部材５１３ｃが側方開口部５１７を開放するように配置されている状態で、室内ファンによって空気流が生成された場合には、調和空気は、中央開口部５１６および側方開口部５１７に導かれる。そして、中央開口部５１６に至った調和空気は、上下風向調整羽根５３０の状態に伴って風向が調整される。また、側方開口部に至った調和空気は、室内機５１０の側方に吹き出される。したがって、室内機５１０の側方に向かって調和空気を吹き出すことができる。
【０２３８】
これによって、側方に向かう空気の吹き出しを調整することができている。
【０２３９】
図２９は、空気調和機の備える室内機６１０の外観斜視図である。図３０は、室内機６１０の風向状態が第１冷房状態である場合を示す室内機６１０の外観斜視図である。図３１は、室内機６１０の風向状態が第２冷房状態である場合を示す室内機６１０の外観斜視図である。図３２は、室内機６１０の概略底面図である。
【０２４０】
本発明の参考例に係る空気調和機４０１について説明する。なお、この空気調和機の構成において、室内機６１０以外の構成は第１実施形態と同様の構成であるため、説明を省略する。
【０２４１】
＜室内機の構成＞
室内機６１０は、室内の壁面等に取り付けられる壁掛け型の室内機である。また、室内機６１０は、主として、室内機本体６１１と、上下風向調整羽根６３０と、側方遮蔽部材６９０と、第１移動機構と、第２移動機構と、を備えている。なお、上下風向調整羽根６３０および第１移動機構の構成は、第１実施形態と同様の構成であるため説明を省略する。
【０２４２】
＜室内機本体の構成＞
室内機本体６１１は、主に、室内機ケーシング６１２と、室内熱交換器と、室内ファンと、垂直羽根とを備えている。また、室内機本体６１１において、室内熱交換器、室内ファンおよび垂直羽根の構成は、第１実施形態と同様の構成であるため、ここでは説明を省略する。
【０２４３】
室内機ケーシング６１２は、図２９、図３０および図３１に示すように、空水平方向に長い略直方形状の部材である。また、室内機ケーシング６１２には、室内熱交換器および室内ファン等が収納されている。さらに、室内機ケーシング６１２には、取込口（図示せず）と、吹出口６１５とが形成されている。取込口は、室内の空気を室内機ケーシング６１２の内側に取り込むための開口であって、室内機ケーシング６１２の上部に形成されている。
【０２４４】
また、吹出口６１５は、室内機本体６１１内で調和された空気を吹き出すための開口であって、室内機６１０の下部近傍に形成されている。具体的には、吹出口６１５は、室内機ケーシング６１２の底面から両側面にかけて連続して形成されている。このため、吹出口６１５は、室内機６１０の側面視において、その一部を視認可能である。なお、以下より、説明の便宜上、吹出口６１５において、室内機ケーシング６１２の底面に位置する部分を第１開口６１６といい、室内機ケーシング６１２の左右両側面に位置する部分を第２開口６１７という。また、上下風向調整羽根６３０は、図３２に示すように、第１開口６１６の第１部分６１６ａを覆うことができる。なお、ここでいう第１部分６１６ａとは、第１開口６１６において室内機６１０の後側に近い部分のことである。
【０２４５】
＜側方遮蔽部材の構成＞
側方遮蔽部材６９０は、図２９に示すように、前面部６９１と、前面部６９１から室内機本体６１１の後方向に延びる延長部６９２ａ，６９２ｂとを備えている。前面部６９１は、室内機６１０の長手方向に平行に延びる略長方形状の板状の部材である。また、前面部６９１は、図３２に示すように、第１開口６１６の第２部分６１６ｂを覆うことが可能である。なお、ここでいう第２部分６１６ｂとは、第１開口６１６において、室内機６１０の前側に近い側の端部を含む部分、すなわち、第１開口６１６の前部のことである。
【０２４６】
延長部６９２ａ，６９２ｂは、図２９に示すように、第１部６９２ａａ，６９２ｂａと、第１部６９２ａａ，６９２ｂａの端部から上方に立設される第２部６９２ａｂ，６９２ｂｂとを有する。第１部６９２ａａ，６９２ｂａは、前面部６９１から連続して形成されており、前面部６９１と略同一面内に配置されている。また、第１部６９２ａａは、第１開口６１６の第３部分６１６ｃを覆うことが可能である。なお、ここでいう第３部分６１６ｃとは、第１開口６１６において、室内機６１０の右側に近い側の端部を含む部分、すなわち、第１開口６１６の右側端部のことである。また、第１部６９２ｂａは、第１開口６１６の第４部分６１６ｄを覆うことが可能である。なお、ここでいう第４部分６１６ｄとは、第１開口６１６において、室内機６１０の左側に近い側の端部を含む部分、すなわち、第１開口６１６の左側端部のことである。言い換えると、第１開口６１６は、第１部分６１６ａ、第２部分６１６ｂ、第３部分６１６ｃおよび第４部分６１６ｄに分かれており、第１部分６１６ａの前側に第２部分６１６ｂが位置しており、第１部分６１６ａの右側に第３部分６１６ｃが位置しており、第１部分６１６ａの左側に第４部分６１６ｄが位置している。このため、側方遮蔽部材６９０の前面部６９１および第１部６９２ａａ，６９２ｂａは、第１開口６１６において、上下風向調整羽根６３０が覆うことが可能な第１部分６１６ａを除く部分である第２部分６１６ｂ、第３部分６１６ｃおよび第４部分６１６ｄを覆うことが可能である。また、室内機６１０の風向状態が運転停止状態である場合には、側方遮蔽部材６９０の前面部６９１および第１部６９２ａａ，６９２ｂａは、上下風向調整羽根６３０と略同一面内に配置される。このため、上下風向調整羽根６３０と側方遮蔽部材６９０との間に現れる目地が目立つおそれを減らすことができる。
【０２４７】
第２部６９２ａｂ，６９２ｂｂは、略三角形状を呈しており、第２開口６１７の開口面積と略同一の面積を有している。また、第２部６９２ａｂは、第２開口６１７のうち室内機６１０の右側に位置する部分を覆うことができる。さらに、第２部６９２ｂｂは、第２開口６１７のうち室内機６１０の左側に位置する部分を覆うことができる。
【０２４８】
このような構成によって、側方遮蔽部材６９０の前面部６９１および第１部６９２ａａ，６９２ｂａは、第１開口６１６の一部を覆うことが可能である。また、側方遮蔽部材６９０の第２部６９２ａｂ，６９２ｂｂは、第２開口６１７を覆うことが可能である。このため、側方遮蔽部材６９０は、上下風向調整羽根６３０とともに吹出口６１５を覆うことが可能である。なお、本参考例では、前面部６９１および第１部６９２ａａ，６９２ｂａは略水平方向に平行な面を有しており、第２部６９２ａｂ，６９２ｂｂは略鉛直方向に平行な面を有しているものとする。
【０２４９】
さらに、側方遮蔽部材６９０は、２つの状態（閉状態および開状態）を採ることが可能である。
【０２５０】
側方遮蔽部材６９０の状態が閉状態である場合、側方遮蔽部材６９０が第１開口６１６の第２部分６１６ｂ、第３部分６１６ｃおよび第４部分６１６ｄと第２開口６１７とを覆うように配置される。具体的には、側方遮蔽部材６９０の状態が閉状態である場合には、前面部６９１が第１開口６１６の第２部分６１６ｂを覆うように配置され、第１部６９２ａａが第１開口６１６の第３部分６１６ｃを覆うように配置され、第１部６９２ｂａが第１開口６１６の第４部分６１６ｄを覆うように配置され、第２部６９２ａｂ，６９２ｂｂが第２開口６１７を覆うように配置される（図２９および図３０参照）。このため、上下風向調整羽根６３０および側方遮蔽部材６９０が閉状態である場合には、図２９に示すように、吹出口６１５が遮蔽される。
【０２５１】
側方遮蔽部材６９０の状態が開状態である場合、側方遮蔽部材６９０が第１開口６１６の第２部分６１６ｂ、第３部分６１６ｃおよび第４部分６１６ｄと第２開口６１７とを開放するように配置される。具体的には、側方遮蔽部材６９０の状態が開状態である場合には、前面部６９１が第１開口６１６の第２部分６１６ｂを開放するように配置され、第１部６９２ａａが第１開口６１６の第３部分６１６ｃを開放するように配置され、第１部６９２ｂａが第１開口６１６の第４部分６１６ｄを開放するように配置され、第２部６９２ａｂ，６９２ｂｂが第２開口６１７を開放するように配置される。このため、上下風向調整羽根６３０の状態が第１開状態、または、第２開状態であり、かつ、側方遮蔽部材６９０の状態が開状態の場合には、室内機６１０の前方および側方に向かって空気が吹き出される（図３１参照）。
【０２５２】
＜第２移動機構の構成＞
第２移動機構は、第１移動機構とは別の移動機構であって、吹出口６１５近傍の空間の側面側が覆われている状態から吹出口６１５近傍の空間の側面側が開放されている状態となるように、側方遮蔽部材６９０を移動させることが可能な機構である。言い換えると、第２移動機構は、側方遮蔽部材６９０の状態を切り換えるために、側方遮蔽部材６９０を室内機本体６１１に対して上下方向にスライド移動させることが可能である。
【０２５３】
第２移動機構は、室内機ケーシング６１２の内部に配置されている。また、第２移動機構は、ラックアンドピニオン機構であって、駆動部の駆動力によって側方遮蔽部材６９０を移動させることで、第１開口６１６の第２部分６１６ｂ、第３部分６１６ｃ、第４部分６１６ｄ、および第２開口６１７を遮蔽したり開放したりする。このため、第２移動機構は、駆動部から伝わる回転運動を吹出口６１５の一部の開閉動作、すなわち、側方遮蔽部材６９０の上下方向の直線運動に変換する変換機構として機能する。なお、本参考例では、第２移動機構をラックアンドピニオン機構としているが、側方遮蔽部材６９０を上下方向にスライド移動させることができれば第２移動機構がリンク機構等の別の機構であってもよい。なお、第１移動機構および第２移動機構の駆動は、制御部（図示せず）によって制御される。
【０２５４】
このような構成によって、この室内機６１０では、上下風向調整羽根６３０が第１開口６１６の第１部分６１６ａを開放するように配置されており、側方遮蔽部材６９０が第１開口６１６の第２部分６１６ｂ、第３部分６１６ｃ、第４部分６１６ｄおよび第２開口６１７を遮蔽するように配置されている状態で、室内ファンによって空気流が生成された場合には、調和空気は、第１開口６１６の第１部分６１６ａに導かれ、上下風向調整羽根６３０の状態に伴って風向が調整される（図３０参照）。
【０２５５】
また、上下風向調整羽根６３０が第１開口６１６の第１部分６１６ａを開放するように配置されており、側方遮蔽部材６９０が第１開口６１６の第２部分６１６ｂ、第３部分６１６ｃ、第４部分６１６ｄおよび第２開口６１７を開放するように配置されている状態で、室内ファンによって空気流が生成された場合には、調和空気は、第１開口６１６の第１部分６１６ａ、第２部分６１６ｂ、第３部分６１６ｃ、第４部分６１６ｄおよび第２開口６１７に導かれる。そして、第１開口６１６の第１部分６１６ａに至った調和空気は、上下風向調整羽根６３０の状態に伴って風向が調整される。また、第１開口６１６の第２部分６１６ｂに至った調和空気は、室内機６１０の前方に吹き出される。さらに、第１開口６１６の第３部分６１６ｃ、第４部分６１６ｄに至った調和空気は、室内機６１０の前方または側方に吹き出される。また、第２開口６１７に至った調和空気は、室内機６１０の側方に吹き出される。
【０２５６】
これによって、室内機６１０の前方および側方に向かって調和空気を吹き出すことができる（図３１参照）。
【０２５７】
＜特徴＞
（１）
上記参考例では、第２移動機構によって、吹出口６１５近傍の空間の側面側が覆われている状態から吹出口６１５近傍の空間の側面側が開放されている状態となるように、側方遮蔽部材６９０が移動されている。このため、吹出口６１５近傍の空間の側面側を遮蔽したり開放したりすることができる。したがって、必要に応じて室内機６１０の側方に向かって空気を吹き出すことができる。
【０２５８】
これによって、側方に向かう空気の吹き出しを調整することができている。
【０２５９】
（２）
上記参考例では、前面部６９１と、前面部６９１から室内機本体６１１の後方向に延びる延長部６９２ａ，６９２ｂとを備えている。このため、側方遮蔽部材６９０によって、第１開口６１６の前部、すなわち、吹出口１６近傍の空間の正面側の前部を覆うことができている。
【０２６０】
＜変形例＞
上記参考例では、側方遮蔽部材６９０が上下方向にスライド移動することで、第１開口６１６の第２部分６１６ｂ、第３部分６１６ｃ、第４部分６１６ｄおよび第２開口６１７が開閉されている。
【０２６１】
これに代えて、図３３に示すように、側方遮蔽部材６９０が室内機ケーシング６１２の前面部６１２ａとともに、室内機本体６１１の前後方向にスライド移動することで、第１開口６１６の第２部分６１６ｂ、第３部分６１６ｃ、第４部分６１６ｄおよび第２開口６１７が開閉されてもよい。なお、側方遮蔽部材６９０の前後方向の移動は、ラックアンドピニオン機構やリンク機構によって行われてもよい。
【０２６２】
このように側方遮蔽部材６９０が室内機本体６１１の前後方向にスライド移動することで、室内機６１０の側方に向かって空気を吹き出すことができる。
【０２６３】
また、図３４に示すように、側方遮蔽部材６９０が、その後側の端部近傍に配置される回転軸を中心に回動することで、第１開口６１６の第２部分６１６ｂ、第３部分６１６ｃ、第４部分６１６ｄおよび第２開口６１７が開閉されてもよい。
【０２６４】
このように側方遮蔽部材６９０が回動移動することで、室内機６１０の側方に向かって空気を吹き出すことができる。
【産業上の利用可能性】
【０２６５】
本発明は、必要に応じて室内機の側方に向かって調和空気を吹き出すことができるため、空気調和機への適用が有効である。
【符号の説明】
【０２６６】
１      空気調和機
１５ａ    凹部
１１６      中央吹出口（吹出口）
１１７      側方吹出口（吹出口）
２９４ａ    回転軸
１２，１１２  室内機ケーシング（ケーシング）
１５，１１５  吹出口
１１  室内機本体（本体）
２５，９５，２９５  収納部
２９，９９  第２移動機構
３０，１３０  上下風向調整羽根
２０，９０，１９０，２９０，３９０  側方遮蔽部材
５０  第１移動機構
８５  駆動制御部（制御部）
【先行技術文献】
【特許文献】
【０２６７】
【特許文献１】特開平８−１７８４０７号公報
【図１】
2011021878.tif 000003
【図２】
2011021878.tif 000004
【図３Ａ】
2011021878.tif 000005
【図３Ｂ】
2011021878.tif 000006
【図４】
2011021878.tif 000007
【図５】
2011021878.tif 000008
【図６】
2011021878.tif 000009
【図７】
2011021878.tif 000010
【図８】
2011021878.tif 000011
【図９】
2011021878.tif 000012
【図１０】
2011021878.tif 000013
【図１１】
2011021878.tif 000014
【図１２】
2011021878.tif 000015
【図１３】
2011021878.tif 000016
【図１４】
2011021878.tif 000017
【図１５】
2011021878.tif 000018
【図１６】
2011021878.tif 000019
【図１７】
2011021878.tif 000020
【図１８】
2011021878.tif 000021
【図１９】
2011021878.tif 000022
【図２０】
2011021878.tif 000023
【図２１】
2011021878.tif 000024
【図２２】
2011021878.tif 000025
【図２３】
2011021878.tif 000026
【図２４】
2011021878.tif 000027
【図２５】
2011021878.tif 000028
【図２６】
2011021878.tif 000029
【図２７】
2011021878.tif 000030
【図２８】
2011021878.tif 000031
【図２９】
2011021878.tif 000032
【図３０】
2011021878.tif 000033
【図３１】
2011021878.tif 000034
【図３２】
2011021878.tif 000035
【図３３】
2011021878.tif 000036
【図３４】
2011021878.tif 000037